(57)【要約】【課題】ケースに収納された電池アセンブリにおいて、収納空間でケースに対して精度良く配置される電池を提供すること。【解決手段】実施形態によれば、電池は、第１の外装部材、電極群、第２の外装部材、一対の端子、及び、バネ部を備える。第１の外装部材は、底壁及び側壁を備え、内部空間の開口縁から側壁に対して外側へ突出するフランジを備える。フランジは、第２の外装部材に溶接される。バネ部は、フランジ及び第２の外装部材の少なくとも一方から形成され、端子の一方が突出する側、又は、その一方が突出する側とは反対側に、側壁に対して突出する。バネ部が弾性変形することにより、バネ部が突出する側とは反対側への力成分を有する反発力が、弾性力の反作用として、作用する。【選択図】  図１
2020107409.tif 000002
【特許請求の範囲】
【請求項１】
内部空間を規定する底壁及び側壁を備えるとともに、金属から形成される第１の外装部材であって、前記底壁とは反対側に前記内部空間の開口が形成されるとともに、前記開口の開口縁から前記側壁に対して外側へ突出するフランジを備える第１の外装部材と、
正極及び負極を備え、前記内部空間に収納される電極群と、
金属から形成されるとともに、前記内部空間の前記開口を塞ぐ状態で前記フランジに対向して配置される第２の外装部材と、
前記フランジ及び前記第２の外装部材の前記開口縁から外側への突出部分において、前記フランジ及び前記第２の外装部材が溶接される溶接部と、
前記第１の外装部材の前記側壁の外表面に一対の電極端子として取付けられるとともに、横方向について、互いに対して同一の側、又は、互いに対して反対側に、前記側壁の前記外表面において突出する第１の端子及び第２の端子と、
前記フランジ及び前記第２の外装部材の前記開口縁からの前記突出部分において、前記フランジ及び前記第２の外装部材の少なくとも一方から形成されるとともに、前記横方向について、前記第１の端子が突出する側、又は、前記第１の端子が突出する側とは反対側に、前記側壁に対して突出するバネ部であって、外側からの外力の作用によって弾性変形することにより、前記横方向について前記バネ部が前記側壁に対して突出する側とは反対側への力成分を有する反発力を、弾性力の反作用として、前記第１の外装部材及び前記第２の外装部材に作用させるバネ部と、
を具備する、電池。
【請求項２】
前記溶接部は、前記フランジ及び前記第２の外装部材の前記開口縁からの前記突出部分において、前記開口縁と前記バネ部との間に設けられる、請求項１の電池。
【請求項３】
前記第２の外装部材は、前記フランジの外縁から外側へ突出し、
前記バネ部は、前記第２の外装部材において前記フランジの前記外縁から外側への突出部分から形成される、
請求項２の電池。
【請求項４】
前記バネ部は、前記開口の周方向について、前記第１の端子及び前記第２の端子から離れた位置に設けられる、請求項１乃至３のいずれか１項の電池。
【請求項５】
前記フランジ及び前記第２の外装部材の前記開口縁からの前記突出部分において、前記フランジ及び前記第２の外装部材の少なくとも一方が折れ曲がるとともに、前記横方向について前記バネ部が突出する側とは反対側へ、前記側壁に対して突出する折れ曲がり部をさらに具備し、
前記折れ曲がり部は、前記横方向について前記バネ部が突出する側とは反対側の端を形成する端面を備える、
請求項１乃至４のいずれか１項の電池。
【請求項６】
前記側壁は、前記横方向に対して交差する縦方向に沿って延設される第１の側壁と、前記縦方向に沿って延設されるとともに、前記横方向について前記内部空間を挟んで前記第１の側壁と対向する第２の側壁と、を備え、
前記第１の端子は、前記第１の側壁の外表面に取付けられ、
前記第２の端子は、前記第１の側壁の外表面又は前記第２の側壁の外表面に取付けられる、
請求項１乃至５のいずれか１項の電池。
【請求項７】
前記バネ部は、前記横方向に対して交差する縦方向の一方側へ、前記側壁に対して突出するとともに、外側からの外力の作用によって弾性変形することにより、前記縦方向について前記バネ部が前記側壁に対して突出する側とは反対側への力成分を有する反発力を、弾性力の反作用として、前記第１の外装部材及び前記第２の外装部材に作用させる、請求項１乃至６のいずれか１項の電池。
【請求項８】
前記横方向について、前記バネ部が突出する側とは反対側の端から前記第１の端子までは、所定の第１の距離となり、
前記横方向について、前記バネ部が突出する側とは反対側の前記端から前記第２の端子までは、所定の第２の距離となる、
請求項１乃至７のいずれか１項の電池。
【請求項９】
請求項１乃至７のいずれか１項の電池と、
収納空間を規定するケース底壁及びケース側壁を備え、前記ケース底壁とは反対側に前記収納空間の開口としてケース開口が形成されるケースであって、前記収納空間に前記電池が収納されるケースと、
を具備し、
前記収納空間では、前記バネ部の前記弾性力の前記反作用として、前記ケース側壁からの反発力が、前記電池に作用し、
前記収納空間において、前記電池は、前記反発力によって、前記横方向について前記バネ部が突出する側とは反対側の端である基準端で、前記ケース側壁に当接する、
電池アセンブリ。
【請求項１０】
前記電池の前記第１の端子及び前記第２の端子は、前記横方向について、互いに対して反対側に突出し、
前記電池のバネ部は、前記横方向について、前記第１の端子が突出する側に、前記側壁に対して突出し、
前記横方向について、前記ケース側壁への前記電池の前記基準端の当接位置から前記第１の端子までは、所定の第１の距離となり、
前記横方向について、前記ケース側壁への前記電池の前記基準端の前記当接位置から前記第２の端子までは、所定の第２の距離となり、
前記ケース側壁は、
前記横方向について前記電極群に対して前記第１の端子及び前記バネ部が位置する側に設けられ、他の電池アセンブリへの連結位置となる第１の連結部であって、前記横方向について前記ケース側壁の内表面に対して外側に配置される第１の連結部と、
前記横方向について前記電極群に対して前記第２の端子及び前記基準端が位置する側に設けられ、他の前記電池アセンブリへの連結位置となる第２の連結部であって、前記横方向について前記ケース側壁の内表面に対して外側に配置される第２の連結部と、
を備え、
前記横方向について前記第１の連結部から前記ケース側壁の前記内表面までは、所定の第３の距離となり、
前記横方向について前記第２の連結部から前記ケース側壁の前記内表面までは、所定の第４の距離になり、
前記第４の距離に対する前記第３の距離の差は、前記第１の距離及び前記第２の距離に基づく所定の大きさになる、
請求項９の電池アセンブリ。
【請求項１１】
請求項９の電池アセンブリを複数具備する、電池モジュール。
【請求項１２】
複数の前記電池アセンブリは、前記電池の前記横方向が積層方向に対して交差する状態で、積層される、請求項１１の電池モジュール。
【請求項１３】
複数の前記電池アセンブリは、互いに対して隣り合って積層される第１の電池アセンブリ及び第２の電池アセンブリを含み、
前記第１の電池アセンブリ及び前記第２の電池アセンブリのそれぞれでは、前記電池の前記第１の端子及び前記第２の端子は、前記横方向について、互いに対して反対側に突出し、
前記第１の電池アセンブリ及び前記第２の電池アセンブリのそれぞれでは、前記電池の前記バネ部は、前記横方向について、前記第１の端子が突出する側に、前記側壁に対して突出し、
前記第１の電池アセンブリの前記第１の端子及び前記バネ部は、前記横方向について、前記第１の電池アセンブリ及び前記第２の電池アセンブリの前記電極群に対して、前記第２の電池アセンブリの前記第１の端子及び前記バネ部が位置する側とは反対側に位置する、
請求項１２の電池モジュール。
【請求項１４】
前記第１の電池アセンブリの前記第１の端子と前記第２の電池アセンブリの前記第２の端子との間を電気的に接続する接続部材をさらに具備し、
前記第１の電池アセンブリ及び前記第２の電池アセンブリのそれぞれでは、
前記電池の前記横方向について、前記ケース側壁への前記電池の前記基準端の当接位置から前記電池の前記第１の端子までは、所定の第１の距離になり、
前記電池の前記横方向について、前記ケース側壁への前記電池の前記基準端の前記当接位置から前記電池の前記第２の端子までは、所定の第２の距離となり、
前記第１の電池アセンブリの前記第１の端子は、前記横方向について、前記第２の電池アセンブリの前記第２の端子に対して、ズレを有し、
前記第２の電池アセンブリの前記第２の端子に対する前記第１の電池アセンブリの前記第１の端子の前記ズレは、前記第１の距離及び前記第２の距離に基づく所定の大きさになり、
前記接続部材は、
前記第１の電池アセンブリの前記第１の端子に接触する第１の接触面と、
前記第２の電池アセンブリの前記第２の端子に接触し、前記第１の接触面に対して平行な第２の接触面と、
を備え、
前記接続部材では、前記第１の接触面及び前記第２の接触面に垂直な方向について、前記第１の接触面は、前記第２の接触面に対して、前記ズレと同一の前記所定の大きさ離れて位置する、
請求項１３の電池モジュール。
【請求項１５】
複数の前記電池アセンブリは、互いに対して隣り合って積層される第１の電池アセンブリ及び第２の電池アセンブリを含み、
前記第２の電池アセンブリの前記ケースの前記ケース底壁は、前記第１の電池アセンブリの前記ケース開口を介して、前記第２の電池アセンブリの前記電池と対向し、
前記第２の電池アセンブリの前記ケースの前記ケース底壁は、前記第１の電池アセンブリの前記電池と干渉し、前記第１の電池アセンブリにおいて前記電池の移動を規制する規制部を備える、
請求項１２の電池モジュール。
【発明の詳細な説明】
【技術分野】
【０００１】
本発明の実施形態は、電池、電池アセンブリ、及び、電池モジュールに関する。
【背景技術】
【０００２】
一般的に、二次電池等の電池は、正極及び負極を備える電極群と、電極群を収納する外装部と、を備える。そして、電池には、外装部が２つの外装部材から形成され、２つの外装部材のそれぞれがステンレス鋼等の金属から形成されるものがある。この電池では、外装部材の一方である第１の外装部材は、底壁及び側壁を備える底付きの箱筒状 に形成され、底壁及び側壁によって、電極群を収納する内部空間が規定される。そして、第１の外装部材では、底壁とは反対側に内部空間の開口が、形成される。また、第１の外装部材には、内部空間の開口の開口縁から外側へ突出するフランジが形成される。この電池では、第２の外装部材は、フランジに対向して配置され、内部空間の開口を塞ぐ。そして、フランジ及び第２の外装部材は、開口縁から側壁に対して外側へ突出する。フランジ及び第２の外装部材の開口縁から外側への突出部分には、開口の全周に渡って、フランジ及び第２の外装部材が気密に溶接される溶接部が形成される。フランジ及び第２の外装部材の溶接によって、内部空間が外部に対して封止される。また、電池では、第１の外装部材の側壁の外表面に、一対の電極端子（正極端子及び負極端子）が取付けられる。
【０００３】
また、前述のような電池を、ケースの収納空間に収納することにより、電池アセンブリが形成される。そして、このような電池アセンブリを複数、積層方向について積層することにより、電池モジュールが、形成される。このような電池モジュールでは、互いに対して隣り合って積層される電池アセンブリの電池同士が、バスバー等の接続部材によって、電気的に接続される。前述のような電池モジュールでは、積層方向に対して垂直又は略垂直な（交差する）方向についての電池とケースとの位置関係に関して、電池アセンブリごとにばらつきが生じないことが求められる。すなわち、電池アセンブリごとにばらつくことなく、全ての電池アセンブリのそれぞれにおいて、収納空間で電池が精度良くケースに対して配置されることが、求められる。
【先行技術文献】
【特許文献】
【０００４】
【特許文献１】特開２０１７−２１６０８７号公報
【特許文献２】特開２０１７−２１６０８８号公報
【発明の概要】
【発明が解決しようとする課題】
【０００５】
本発明が解決しようとする課題は、ケースに収納された電池アセンブリにおいて、収納空間でケースに対して精度良く配置される電池を提供することにある。また、その電池を備える電池アセンブリ、及び、その電池アセンブリを複数備える電池モジュールを提供することにある。
【課題を解決するための手段】
【０００６】
実施形態によれば、電池は、第１の外装部材、電極群、第２の外装部材、溶接部、第１の端子、第２の端子、及び、バネ部を備える。第１の外装部材は、内部空間を規定する底壁及び側壁を備えるとともに、金属から形成される。第１の外装部材では、底壁とは反対側に内部空間の開口が形成されるとともに、第１の外装部材は、開口の開口縁から側壁に対して外側へ突出するフランジを備える。電極群は、正極及び負極を備え、第１の外装部材の内部空間に収納される。第２の外装部材は、金属から形成されるとともに、内部空間の開口を塞ぐ状態でフランジに対向して配置される。溶接部は、フランジ及び第２の外装部材の開口縁から外側への突出部分に形成され、溶接部では、フランジ及び第２の外装部材が溶接される。第１の端子及び第２の端子は、第１の外装部材の側壁の外表面に一対の電極端子として取付けられるとともに、横方向について、互いに対して同一の側、又は、互いに対して反対側に、側壁の外表面において突出する。バネ部は、フランジ及び第２の外装部材の開口縁からの突出部分において、フランジ及び第２の外装部材の少なくとも一方から形成されるともに、横方向について、第１の端子が突出する側、又は、第１の端子が突出する側とは反対側に、側壁に対して突出する。外側からの外力の作用によってバネ部が弾性変形することにより、横方向についてバネ部が側壁に対して突出する側とは反対側への力成分を有する反発力が、弾性力の反作用として、第１の外装部材及び第２の外装部材に作用する。
【０００７】
また、実施形態によれば、前述の電池と、ケースと、を備える電池アセンブリが提供される。ケースは、収納空間を規定するケース底壁及びケース側壁を備え、ケースでは、ケース底壁とは反対側に収納空間の開口としてケース開口が形成される。電池は、収納空間に収納される。収納空間では、バネ部の弾性力の反作用として、ケース側壁からの反発力が、電池に作用する。収納空間において、電池は、ケース側壁からの反発力によって、横方向についてバネ部が突出する側とは反対側の端である基準端で、ケース側壁に当接する。
【０００８】
また、実施形態によれば、前述の電池アセンブリを複数備える電池モジュールが提供される。
【図面の簡単な説明】
【０００９】
【図１】図１は、第１の実施形態に係る電池を概略的に示す斜視図である。
【図２】図２は、第１の実施形態に係る電池を部材ごとに分解して示す斜視図である。
【図３】図３は、第１の実施形態に係る電極群の構成を説明する概略図である。
【図４】図４は、図１の断面Ａ１を概略的に示す断面図である。
【図５】図５は、図４の領域Ｈ１を拡大して概略的に示す断面図である。
【図６】図６は、図４の領域Ｈ２を拡大して概略的に示す断面図である。
【図７】図７は、第１の実施形態に係る電池の製造において、フランジ及び第２の外装部材が溶接部で溶接された直後の状態を概略的に示す斜視図である。
【図８】図８は、図７の状態から、第２の外装部材の余剰部分において一部をトリミングした状態を概略的に示す斜視図である。
【図９】図９は、第１の実施形態の第１の変形例に係る電池において、バネ部及びその近傍の構成を概略的に示す断面図である。
【図１０】図１０は、第１の実施形態の第２の変形例に係る電池において、バネ部及びその近傍の構成を概略的に示す断面図である。
【図１１】図１１は、第１の実施形態の第３の変形例に係る電池において、バネ部及びその近傍の構成を概略的に示す断面図である。
【図１２】図１２は、第１の実施形態の第４の変形例に係る電池において、バネ部が突出する側とは反対側の端部の構成を概略的に示す断面図である。
【図１３】図１３は、第１の実施形態の第５の変形例に係る電池を概略的に示す斜視図である。
【図１４】図１４は、第２の実施形態に係る電池アセンブリを概略的に示す斜視図である。
【図１５】図１５は、第２の実施形態に係る電池アセンブリのケースを概略的に示す斜視図である。
【図１６】図１６は、第２の実施形態に係る電池アセンブリのケースを、図１５とは異なる方向から視た状態で概略的に示す斜視図である。
【図１７】図１７は、図１４の断面Ａ２を概略的に示す断面図である。
【図１８】図１８は、図１７の領域Ｈ３を拡大して概略的に示す断面図である。
【図１９】図１９は、図１７の領域Ｈ４を拡大して概略的に示す断面図である。
【図２０】図２０は、第２の実施形態の第１の変形例に係る電池アセンブリのケースを概略的に示す斜視図である。
【図２１】図２１は、第２の実施形態の第２の変形例に係る電池アセンブリのケースを、ケース開口が開口する側から視た状態で示す概略図である。
【図２２】図２２は、第３の実施形態に係る電池モジュールを概略的に示す斜視図である。
【図２３】図２３は、第３の実施形態に係る電池モジュールを、一部の部品を分解した状態で概略的に示す斜視図である。
【図２４】図２４は、第３の実施形態に係る電池モジュールにおいて、互いに対して隣り合って積層される電池アセンブリの積層状態を概略的に示す断面図である。
【図２５】図２５は、第３の実施形態に係る電池モジュールのバスバーの構成を概略的に示す斜視図である。
【図２６】図２６は、第３の実施形態に係る電池モジュールにおいて、互いに対して隣り合って積層される電池アセンブリの、バスバーによる電気的な接続状態を概略的に示す断面図である。
【図２７】図２７は、第３の実施形態の第１の変形例に係る電池モジュールにおいて、互いに対して隣り合って積層される電池アセンブリの積層状態を概略的に示す断面図である。
【図２８】図２８は、第３の実施形態の第２の変形例に係る電池モジュールの蓋を概略的に示す斜視図である。
【図２９】図２９は、第３の実施形態の第３の変形例に係る電池モジュールにおいて、互いに対して隣り合って積層される電池アセンブリの、バスバーによる電気的な接続状態を概略的に示す断面図である。
【発明を実施するための形態】
【００１０】
以下、実施形態について、図面を参照して説明する。
【００１１】
［電池］  
まず、実施形態に係る電池について説明する。
【００１２】
（第１の実施形態）  
図１は、電池の一例として第１の実施形態に係る電池１を示す。図２は、電池１を部材ごとに分解して示す。電池１は、二次電池であり、例えば、非水電解質電池である。図１及び図２に示すように、電池１は、外装部３を備える。外装部３は、第１の外装部材５及び第２の外装部材６から形成される。外装部材５，６のそれぞれは、ステンレス鋼等の金属から形成される。外装部材５，６を形成するステンレス鋼以外の金属としては、アルミニウム、アルミニウム合金、炭素鋼、及び、メッキ鋼等が挙げられる。第１の外装部材５は、底付きの箱状に形成される。本実施形態では、第１の外装部材５は、底壁７及び二対の側壁８Ａ，８Ｂ，９Ａ，９Ｂを有し、略長方形状の底付きの箱状に形成される。第１の外装部材５では、底壁７及び側壁８Ａ，８Ｂ，９Ａ，９Ｂによって、内部空間１１（後述の図４乃至図６を参照）が規定される。内部空間１１には、電極群１０が収納される。なお、第１の外装部材５及び第２の外装部材６を含む外装部３では、内部空間１１が位置する側を内側とし、内部空間１１が位置する側とは反対側を外側とする。
【００１３】
内部空間１１は、底壁７とは反対側に開口１２（後述の図４乃至図６を参照）を有する。ここで、電池１において、縦方向（矢印Ｘ１及び矢印Ｘ２で示す方向）、縦方向に対して垂直又は略垂直な（交差する）横方向（矢印Ｙ１及び矢印Ｙ２で示す方向）、及び、縦方向に及び横方向の両方に対して垂直又は略垂直な（交差する）厚さ方向（矢印Ｚ１及び矢印Ｚ２で示す方向）を規定する。電池１では、一対の側壁８Ａ，８Ｂのそれぞれは、縦方向に沿って延設され、側壁９Ａから側壁９Ｂまで縦方向に連続する。そして、一対の側壁９Ａ，９Ｂのそれぞれは、横方向に沿って延設され、側壁８Ａから側壁８Ｂまで横方向に連続する。側壁（第１の側壁）８Ａ及び側壁（第２の側壁）８Ｂは、内部空間１１を挟んで互いに対して対向し、横方向に離れて配置される。そして、側壁（第３の側壁）９Ａ及び側壁（第４の側壁）９Ｂは、内部空間１１を挟んで互いに対して対向し、縦方向に離れて配置される。また、側壁８Ａ，８Ｂ，９Ａ，９Ｂのそれぞれは、底壁７から開口１２に向かって延設され、内部空間１１は、開口１２において厚さ方向の一方側（矢印Ｚ２側）に向かって開口する。そして、開口１２の開口面は、縦方向及び横方向に対して平行又は略平行になる。
【００１４】
図１及び図２に示すように、第１の外装部材５では、底壁７とは反対側の部位に、フランジ１３が設けられる。フランジ１３は、開口１２の周方向について全周に渡って、開口１２の開口縁１５（後述の図４乃至図６参照）から外側（外周側）に突出する。このため、フランジ１３は、開口１２の開口面に平行な方向について開口１２から離れる側に、側壁８Ａ，８Ｂ，９Ａ，９Ｂに対して、突出する。なお、本実施形態では、電池１の厚さ方向に垂直又は略垂直な断面において側壁８Ａ，８Ｂ，９Ａ，９Ｂに囲まれる領域は、長方形状又は略長方形状であるが、これに限るものではない。ある実施例では、電池１の厚さ方向に垂直又は略垂直な断面において側壁に囲まれる領域が、例えば、長方形状以外の多角形状又は楕円形状等に形成されてもよい。
【００１５】
第２の外装部材６は、略板状に形成される。第２の外装部材６は、フランジ１３に対向して配置され、開口１２が開口する側からフランジ１３に取付けられる。本実施形態では、第２の外装部材６は、開口１２の周方向の全周に渡って、開口縁１５から外側（開口１２の中心から離れる側）に突出する。したがって、第２の外装部材６は、開口１２の開口面に平行な方向について開口１２から離れる側に、側壁８Ａ，８Ｂ，９Ａ，９Ｂに対して、突出する。開口縁１５より外側の領域では、開口１２の周方向の全周に渡って、第２の外装部材６がフランジ１３と対向する。また、第２の外装部材６は、内部空間１１の開口１２を塞ぐ。第２の外装部材６が開口１２を塞ぐ部分では、略板状の第２の外装部材６の厚さ方向は、電池１の厚さ方向と一致又は略一致する。
【００１６】
なお、底壁７から開口１２までの距離は、側壁８Ａ，８Ｂの間の距離、及び、側壁９Ａ，９Ｂの間の距離のそれぞれに比べて、遥かに小さい。そして、電池１では、厚さ方向についての寸法が、縦方向についての寸法、及び、横方向についての寸法のそれぞれに比べて、遥かに小さい。また、本実施形態では、側壁８Ａ，８Ｂの間の距離が、側壁９Ａ，９Ｂの間の距離に比べて大きく、電池１では、横方向についての寸法が、縦方向についての寸法に比べて、大きい。ここで、側壁８Ａ，８Ｂの間の距離は、電池１の横方向についての内部空間１１（開口１２）の寸法に、相当する。そして、側壁９Ａ，９Ｂの間の距離は、電池１の縦方向についての内部空間１１（開口１２）の寸法に、相当する。そして、底壁７から開口１２までの距離は、電池１の厚さ方向についての内部空間１１の寸法に相当する。
【００１７】
ある実施例では、側壁８Ａ，８Ｂの間の距離が、側壁９Ａ，９Ｂの間の距離に比べて小さく、電池１では、横方向についての寸法が、縦方向についての寸法に比べて、小さくてもよい。また、別のある実施例では、側壁８Ａ，８Ｂの間の距離が、側壁９Ａ，９Ｂの間の距離と同一又は略同一であり、電池１では、横方向についての寸法が、縦方向についての寸法と同一又は略同一であってもよい。ただし、いずれの場合も、底壁７から開口１２までの距離は、側壁８Ａ，８Ｂの間の距離、及び、側壁９Ａ，９Ｂの間の距離のそれぞれに比べて、遥かに小さい。
【００１８】
また、ある実施例では、第１の外装部材５は、底壁７、側壁８Ａ，８Ｂ，９Ａ，９Ｂ及びフランジ１３のそれぞれにおいて、０．０２ｍｍ以上３ｍｍ以下の肉厚である。そして、略板状の第２の外装部材６は、０．０２ｍｍ以上３ｍｍ以下の肉厚である。また、本実施形態では、フランジ１３の開口縁１５（側壁８Ａ，８Ｂ，９Ａ，９Ｂ）から外側への突出寸法は、２ｍｍ以上５ｍｍ以下程度である。すなわち、開口１２の開口縁１５からフランジ１３の外縁Ｅ１までの距離は、２ｍｍ以上５ｍｍ以下程度である。また、開口１２の周方向について後述するバネ部３５Ａ，３５Ｂ及び折れ曲がり部４１Ａ，４１Ｂが形成されていない範囲では、第２の外装部材６の開口縁１５（側壁８Ａ，８Ｂ，９Ａ，９Ｂ）から外側への突出寸法は、２ｍｍ以上５ｍｍ以下程度である。すなわち、開口１２の周方向について後述するバネ部３５Ａ，３５Ｂ及び折れ曲がり部４１Ａ，４１Ｂが形成されていない範囲では、開口１２の開口縁１５から第２の外装部材６の外縁Ｅ２までの距離は、２ｍｍ以上５ｍｍ以下程度である。
【００１９】
図３は、電極群１０の構成を説明する図である。図３に示すように、電極群１０は、例えば、扁平形状に形成され、正極２１と、負極２２と、セパレータ２３，２５と、を備える。正極２１は、正極集電体としての正極集電箔２１Ａと、正極集電箔２１Ａの表面に担持される正極活物質含有層２１Ｂと、を備える。正極集電箔２１Ａは、アルミニウム箔又はアルミニウム合金箔等であり、厚さが１０μｍ〜２０μｍ程度である。正極集電箔２１Ａには、正極活物質、結着剤及び導電剤を含むスラリーが塗布される。正極活物質としては、特に限定されるものではないが、リチウムを吸蔵放出できる酸化物、硫化物及びポリマー等が挙げられる。また、高い正極電位を得られる観点から、正極活物質は、リチウムマンガン複合酸化物、リチウムニッケル複合酸化物、リチウムコバルト複合酸化物及びリチウム燐酸鉄等が、用いられることが好ましい。
【００２０】
負極２２は、負極集電体としての負極集電箔２２Ａと、負極集電箔２２Ａの表面に担持される負極活物質含有層２２Ｂと、を備える。負極集電箔２２Ａは、アルミニウム箔、アルミニウム合金箔又は銅箔等であり、厚さが１０μｍ〜２０μｍ程度である。負極集電箔２２Ａには、負極活物質、結着剤及び導電剤を含むスラリーが塗布される。負極活物質としては、特に限定されるものではないが、リチウムイオンを吸蔵放出できる金属酸化物、金属硫化物、金属窒化物及び炭素材料等が挙げられる。負極活物質としては、リチウムイオンの吸蔵放出電位が金属リチウム電位に対して０．４Ｖ以上となる物質、すなわち、リチウムイオンの吸蔵放出電位が０．４Ｖ（ｖｓ．Ｌｉ＋／Ｌｉ）以上になる物質であることが好ましい。このようなリチウムイオン吸蔵放出電位を有する負極活物質を用いることにより、アルミニウム又はアルミニウム合金とリチウムとの合金反応が抑えられるため、負極集電箔２２Ａ及び負極２２に関連する構成部材に、アルミニウム及びアルミニウム合金を使用可能になる。リチウムイオンの吸蔵放出電位が０．４Ｖ（ｖｓ．Ｌｉ＋／Ｌｉ）以上になる負極活物質としては、例えば、チタン酸化物、チタン酸リチウム等のリチウムチタン複合酸化物、タングステン酸化物、アモルファススズ酸化物、ニオブ・チタン複合酸化物、スズ珪素酸化物、及び、酸化珪素等が挙げられ、リチウムチタン複合酸化物を負極活物質として用いることが、特に好ましい。なお、リチウムイオンを吸蔵放出する炭素材料を負極活物質として用いる場合は、負極集電箔２２Ａは銅箔を用いるとよい。負極活物質として用いられる炭素材料は、リチウムイオンの吸蔵放出電位が０Ｖ（ｖｓ．Ｌｉ＋／Ｌｉ）程度になる。
【００２１】
正極集電箔２１Ａ及び負極集電箔２２Ａに用いられるアルミニウム合金は、Ｍｇ、Ｔｉ、Ｚｎ、Ｍｎ、Ｆｅ、Ｃｕ及びＳｉから選択される１種または２種以上の元素を含むことが望ましい。アルミニウム及びアルミニウム合金の純度は、９８重量％以上にすることができ、９９．９９重量％以上が好ましい。また、純度１００％の純アルミニウムを、正極集電体及び／又は負極集電体の材料として用いることが可能である。アルミニウム及びアルミニウム合金における、ニッケル、クロムなどの遷移金属の含有量は１００重量ｐｐｍ以下（０重量ｐｐｍを含む）にすることが好ましい。
【００２２】
正極集電箔２１Ａでは、一方の長辺縁２１Ｃ及びその近傍部位によって、正極集電タブ２１Ｄが形成される。本実施形態では、正極集電タブ２１Ｄは、長辺縁２１Ｃの全長に渡って形成される。正極集電タブ２１Ｄでは、正極集電箔２１Ａの表面に正極活物質含有層２１Ｂが担持されない。また、負極集電箔２２Ａでは、一方の長辺縁２２Ｃ及びその近傍部位によって、負極集電タブ２２Ｄが形成される。本実施形態では、負極集電タブ２２Ｄは、長辺縁２２Ｃの全長に渡って形成される。負極集電タブ２２Ｄでは、負極集電箔２２Ａの表面に負極活物質含有層２２Ｂが担持されない。
【００２３】
セパレータ２３，２５のそれぞれは、電気的絶縁性を有する材料から形成され、正極２１と負極２２との間を電気的に絶縁する。セパレータ２３，２５のそれぞれは、正極２１及び負極２２とは別体のシート等であってもよく、正極２１及び負極２２の一方と一体に形成されてもよい。また、セパレータ２３，２５は、有機材料から形成されてもよく、無機材料から形成されてもよく、有機材料と無機材料との混合物から形成されてもよい。セパレータ２３，２５を形成する有機材料としては、エンプラ及びスーパーエンプラが挙げられる。そして、エンプラとしては、ポリアミド、ポリアセタール、ポリブチレンテレフタレート、ポリエチレンテレフタレート、シンジオタクチック・ポリスチレン、ポリカーボネート、ポリアミドイミド、ポリビニルアルコール、ポリフッ化ビニリデン及び変性ポリフェニレンエーテル等が挙げられる。また、スーパーエンプラとしては、ポリフェニレンサルファイド、ポリエーテルエーテルケトン、液晶ポリマー、ポリビニリデンフロライド、ポリテトラフルオロエチレン（ＰＴＦＥ）、ポリエーテルニトリル、ポリサルホン、ポリアクリレート、ポリエーテルイミド及び熱可塑性ポリイミド等が挙げられる。また、セパレータ２３，２５を形成する無機材料としては、酸化物（例えば、酸化アルミニウム、二酸化ケイ素、酸化マグネシウム、リン酸化物、酸化カルシウム、酸化鉄、酸化チタン）、窒化物（例えば、窒化ホウ素、窒化アルミニウム、窒化珪素、窒化バリウム）等が挙げられる。
【００２４】
電極群１０では、正極活物質含有層２１Ｂと負極活物質含有層２２Ｂとの間でセパレータ２３，２５のそれぞれが挟まれた状態で、正極２１、負極２２及びセパレータ２３，２５が捲回軸Ｂを中心として扁平形状に捲回される。この際、例えば、正極２１、セパレータ２３、負極２２及びセパレータ２５は、この順に重ねられた状態で、捲回される。また、電極群１０では、正極集電箔２１Ａの正極集電タブ２１Ｄが、負極２２及びセパレータ２３，２５に対して、捲回軸Ｂに沿う方向の一方側へ突出する。そして、負極集電箔２２Ａの負極集電タブ２２Ｄが、正極２１及びセパレータ２３，２５に対して、捲回軸Ｂに沿う方向について正極集電タブ２１Ｄが突出する側とは反対側に、突出する。電極群１０は、捲回軸Ｂが電池１の横方向に対して平行又は略平行になる状態で配置される。すなわち、捲回軸Ｂが電池１の厚さ方向に対して垂直又は略垂直になる（交差する）状態で、電極群１０が内部空間１１に配置される。
【００２５】
ある実施例では、内部空間１１において、電極群１０に、電解液（図示しない）が含浸される。電解液としては、非水電解液が用いられ、例えば、電解質を有機溶媒に溶解することにより調製される非水電解液が用いられる。この場合、有機溶媒に溶解させる電解質として、過塩素酸リチウム（ＬｉＣｌＯ4）、六フッ化リン酸リチウム（ＬｉＰＦ6）、四フッ化ホウ酸リチウム（ＬｉＢＦ4）、六フッ化砒素リチウム（ＬｉＡｓＦ6）、トリフルオロメタンスルホン酸リチウム（ＬｉＣＦ3ＳＯ3）又はビストリフルオロメチルスルホニルイミドリチウム［ＬｉＮ（ＣＦ3ＳＯ2）2］等のリチウム塩、及び、これらの混合物が挙げられる。また、有機溶媒として、プロピレンカーボネート（ＰＣ）、エチレンカーボネート（ＥＣ）及びビニレンカーボネート等の環状カーボネート；ジエチルカーボネート（ＤＥＣ）、ジメチルカーボネート（ＤＭＣ）及びメチルエチルカーボネート（ＭＥＣ）等の鎖状カーボネート；テトラヒドロフラン（ＴＨＦ）、２メチルテトラヒドロフラン（２ＭｅＴＨＦ）、及びジオキソラン（ＤＯＸ）等の環状エーテル；ジメトキシエタン（ＤＭＥ）及びジエトキシエタン（ＤＥＥ）等の鎖状エーテル；γ−ブチロラクトン（ＧＢＬ）、アセトニトリル（ＡＮ）及びスルホラン（ＳＬ）等が挙げられる。これらの有機溶媒は、単独で、又は、混合溶媒として用いられる。
【００２６】
また、ある実施例では、非水電解質として、非水電解液と高分子材料とを複合化したゲル状非水電解質が、非水電解液の代わりに用いられる。この場合、前述した電解質及び有機溶媒が用いられる。また、高分子材料として、ポリフッ化ビニリデン（ＰＶｄＦ）、ポリアクリロニトリル（ＰＡＮ）及びポリエチレンオキサイド（ＰＥＯ）等が挙げられる。
【００２７】
また、ある実施例では、非水電解液の代わりに、高分子固体電解質及び無機固体電解質等の固体電解質が非水電解質として設けられる。この場合、電極群１０に、セパレータ２３，２５が設けられなくてもよい。そして、電極群１０では、セパレータ２３，２５の代わりに、固体電解質が正極２１と負極２２との間で挟まれる。このため、本実施例では、固体電解質によって、正極２１と負極２２との間が電気的に絶縁される。
【００２８】
図４は、図１の断面Ａ１を示し、電池１において横方向に垂直又は略垂直な断面を示す。図５は、図４の領域Ｈ１を拡大して示し、図６は、図４の領域Ｈ２を拡大して示す。図４乃至図６等に示すように、電池１には、フランジ１３及び第２の外装部材６を気密に溶接する溶接部３０が形成される。溶接部３０は、開口１２の開口縁１５に対して、外側、すなわち、開口１２の開口面に平行な方向について開口１２から離れる側に、設けられる。したがって、溶接部３０は、フランジ１３及び第２の外装部材６において、側壁８Ａ，８Ｂ，９Ａ，９Ｂ（開口縁１５）から外側への突出部分に、設けられる。溶接部３０は、開口縁１５に沿って延設され、開口１２の周方向について全周に渡って連続して形成される。このため、開口１２の周方向について全周に渡って、フランジ１３及び第２の外装部材６が気密に溶接される。溶接部３０で前述のようにフランジ１３及び第２の外装部材６が気密に溶接されるため、内部空間１１が密閉され、内部空間１１が封止される。
【００２９】
なお、溶接部３０では、例えば、抵抗シーム溶接によって、フランジ１３及び第２の外装部材６が溶接される。抵抗シーム溶接が行われることにより、レーザ溶接等に比べて、コストが抑えられるとともに、フランジ１３と第２の外装部材６との間の気密性が高い。
【００３０】
図１及び図２等に示すように、第１の外装部材５の外表面には、一対の電極端子として端子２７Ａ，２７Ｂが取付けられる。端子２７Ａ，２７Ｂの一方が電池１の正極端子となり、端子２７Ａ，２７Ｂの他方が電池１の負極端子となる。このため、端子２７Ａ，２７Ｂは、互いに対して反対の電気的極性を有する。本実施形態では、端子（第１の端子）２７Ａは、外部に露出する状態で側壁（第１の側壁）８Ａに取付けられ、端子（第２の端子）２７Ｂは、外部に露出する状態で側壁（第２の側壁）８Ｂに取付けられる。したがって、端子２７Ａは、横方向について一方側へ、側壁８Ａの外表面において突出し、端子２７Ｂは、横方向について端子２７Ａが突出する側とは反対側に、側壁８Ｂの外表面において突出する。図１等の一例では、端子２７Ａは、電池１の縦方向について側壁８Ａの中央位置又は略中央位置に配置され、端子２７Ｂは、電池１の縦方向について側壁８Ｂの中央位置又は略中央位置に配置される。端子２７Ａ，２７Ｂのそれぞれは、導電材料から形成され、例えば、アルミニウム及び銅等のいずれかから形成される。
【００３１】
また、端子２７Ａ，２７Ｂには、電池１と他の電池との間を電気的に接続する接続部材であるバスバー３６（後述の図２２及び図２３等参照）が接続される。端子２７Ａは、接続されるバスバー３６が接触する端子側接触面３７Ａを備え、端子２７Ｂは、接続されるバスバー３６が接触する端子側接触面３７Ｂを備える。本実施形態では、端子側接触面３７Ａ，３７Ｂは、横方向について外側を向き、横方向について互いに対して反対側を向く。
【００３２】
また、第１の外装部材５の外表面には、電気的絶縁性を有する材料から形成される一対の絶縁部材２８Ａ，２８Ｂが設けられる。絶縁部材２８Ａは、側壁８Ａの外表面に配置され、絶縁部材２８Ｂ、側壁８Ｂの外表面に配置される。絶縁部材２８Ａは、側壁８Ａの外表面と端子２７Ａとの間に介在し、端子２７Ａを外装部３（第１の外装部材５）に対して電気的に絶縁する。そして、絶縁部材２８Ｂは、側壁８Ｂの外表面と端子２７Ｂとの間に介在し、端子２７Ｂを外装部３（第１の外装部材５）に対して電気的に絶縁する。電池１では、端子２７Ａは、縦方向について、絶縁部材２８Ａの両外縁に対して、側壁８Ａの中央位置に近い側（内側）に配置される。そして、端子２７Ｂは、縦方向について、絶縁部材２８Ｂの両外縁に対して、側壁８Ｂの中央位置に近い側（内側）に配置される。
【００３３】
また、電池１には、正極リード及び負極リードとして一対のリード３１Ａ，３１Ｂ（後述する図２６及び図２９等参照）が設けられる。一対のリード３１Ａ，３１Ｂの一方である正極リードによって、電極群１０の正極集電タブ２１Ｄは、一対の端子２７Ａ，２７Ｂの対応する一方である正極端子に電気的に接続される。また、一対のリード３１Ａ，３１Ｂの他方である負極リードによって、電極群１０の負極集電タブ２２Ｄは、一対の端子２７Ａ，２７Ｂの対応する一方である電気的に負極端子に接続される。なお、正極集電タブ２１Ｄ及び負極集電タブ２２Ｄを含む電極群１０、及び、一対のリード３１Ａ，３１Ｂは、電極群１０の最外層に捲かれる絶縁バンド３２、及び、外装部３の内表面に配置される絶縁部材３３Ａ，３３Ｂ（後述する図２４及び図２６等参照）等によって、外装部３に対する接触が防止される。このため、電極群１０及びリード３１Ａ，３１Ｂは、外装部３（第１の外装部材５及び第２の外装部材６）に対して電気的に絶縁される。
【００３４】
図１、図２、図４及び図５等に示すように、フランジ１３及び第２の外装部材６の開口縁１５から外側への突出部分には、バネ部３５Ａ，３５Ｂが形成される。バネ部３５Ａは、開口１２の周方向について、側壁（第１の側壁）８Ａが延設される範囲に設けられ、縦方向に沿って延設される。また、バネ部３５Ｂは、開口１２の周方向について、側壁（第３の側壁）９Ａが延設される範囲に設けられ、横方向に沿って延設される。ただし、バネ部３５Ａは、開口１２の周方向について、端子（第１の端子）２７Ａから離れた位置に設けられる。そして、バネ部３５Ａ，３５Ｂは、開口１２の周方向について、端子２７Ａ，２７Ｂのいずれからも離れた位置に、設けられる。なお、図４及び図５では、バネ部３５Ｂが示されているが、バネ部３５Ａも、バネ部３５Ｂと同様の構成である。
【００３５】
本実施形態では、バネ部３５Ａ，３５Ｂは、第２の外装部材６のみから、形成される。バネ部３５Ａ，３５Ｂのそれぞれでは、第２の外装部材６は、溶接部３０から外側へ突出し、フランジ１３の外縁Ｅ１から外側へ突出する。そして、バネ部３５Ａ，３５Ｂのそれぞれは、第２の外装部材６においてフランジ１３の外縁Ｅ１から外側への突出部分から、形成される。したがって、開口１２の周方向についてバネ部３５Ａが形成される範囲では、溶接部３０は、開口縁１５とバネ部３５Ａとの間に設けられる。そして、開口１２の周方向についてバネ部３５Ｂが形成される範囲では、溶接部３０は、開口縁１５とバネ部３５Ｂとの間に設けられる。
【００３６】
バネ部（第１のバネ部）３５Ａは、横方向について端子（第１の端子）２７Ａが突出する側へ、側壁８Ａに対して突出し、フランジ１３の外縁Ｅ１から横方向について外側へ突出する。バネ部（第２のバネ部）３５Ｂは、縦方向について一方側へ、側壁９Ａに対して突出し、フランジの外縁Ｅ１から縦方向について外側へ突出する。なお、本実施形態では、第２の外装部材６のみからバネ部３５Ａ，３５Ｂが形成されるため、第２の外装部材６の肉厚は、ある程度厚いことが好ましく、例えば、第２の外装部材６の肉厚は、第１の外装部材５の肉厚に比べて厚いことが好ましい。
【００３７】
開口１２の周方向についてバネ部３５Ａが形成される範囲では、第２の外装部材の側壁８Ａに対する突出部分に、折れ曲げ線Ｍ１及び折り返し線Ｎ１が形成される。折れ曲げ線Ｍ１及び折り返し線Ｎ１のそれぞれは、電池１の縦方向に沿って延設される。折り曲げ線Ｍ１で、第２の外装部材６が折れ曲がるとともに、折り返し線Ｎ１で、第２の外装部材６が折り返される。折り曲げ線Ｍ１は、溶接部３０に対して外側に位置し、フランジ１３の外縁Ｅ１に対して外側に位置する。バネ部３５Ａは、第２の外装部材６において、折り曲げ線Ｍ１と外縁Ｅ２との間の部分から形成される。
【００３８】
第２の外装部材６は、開口縁１５から折り曲げ線Ｍ１まで、横方向について外側へ向かって延設される。そして、折り曲げ線Ｍ１で第２の外装部材６が折れ曲がることにより、第２の外装部材６は、折り曲げ線Ｍ１から折り返し線Ｎ１まで、電池１の厚さ方向について底壁７が位置する側へ向かって延設される。そして、折り返し線Ｎ１で第２の外装部材６が折り返されることにより、第２の外装部材６は、折り返し線Ｎ１から外縁Ｅ２まで、電池１の厚さ方向について底壁７が位置する側とは反対側へ向かって延設される。なお、本実施形態では、第２の外装部材６において折り返し線Ｎ１から外縁Ｅ２までの延設部分は、第２の外装部材６において折り曲げ線Ｍ１から折り返し線Ｎ１までの延設部分と側壁８Ａとの間に、位置し、第２の外装部材６において折り曲げ線Ｍ１から折り返し線Ｎ１までの延設部分に対して、内側に位置する。
【００３９】
開口１２の周方向についてバネ部３５Ｂが形成される範囲では、第２の外装部材の側壁９Ａに対する突出部分に、折れ曲げ線Ｍ２及び折り返し線Ｎ２が形成される。折れ曲げ線Ｍ２及び折り返し線Ｎ２のそれぞれは、電池１の横方向に沿って延設される。折り曲げ線Ｍ２で、第２の外装部材６が折れ曲がるとともに、折り返し線Ｎ２で、第２の外装部材６が折り返される。折り曲げ線Ｍ２は、溶接部３０に対して外側に位置し、フランジ１３の外縁Ｅ１に対して外側に位置する。バネ部３５Ｂは、第２の外装部材６において、折り曲げ線Ｍ２と外縁Ｅ２との間の部分から形成される。
【００４０】
第２の外装部材６は、開口縁１５から折り曲げ線Ｍ２まで、縦方向について外側へ向かって延設される。そして、折り曲げ線Ｍ２で第２の外装部材６が折れ曲がることにより、第２の外装部材６は、折り曲げ線Ｍ２から折り返し線Ｎ２まで、電池１の厚さ方向について底壁７が位置する側へ向かって延設される。そして、折り返し線Ｎ２で第２の外装部材６が折り返されることにより、第２の外装部材６は、折り返し線Ｎ２から外縁Ｅ２まで、電池１の厚さ方向について底壁７が位置する側とは反対側へ向かって延設される。なお、本実施形態では、第２の外装部材６において折り返し線Ｎ２から外縁Ｅ２までの延設部分は、第２の外装部材６において折り曲げ線Ｍ２から折り返し線Ｎ２までの延設部分と側壁９Ａとの間に、位置し、第２の外装部材６において折り曲げ線Ｍ２から折り返し線Ｎ２までの延設部分に対して、内側に位置する。
【００４１】
バネ部（第１のバネ部）３５Ａに外側から力が作用することにより、バネ部３５Ａは弾性変形する。バネ部３５Ａが弾性変形することにより、横方向についてバネ部３５Ａが側壁８Ａに対して突出する側とは反対側への力成分を有する反発力が、弾性力の反作用として、外装部３（第１の外装部材５及び第２の外装部材６）を含む電池１に作用する。また、バネ部（第２のバネ部）３５Ｂに外側から力が作用することにより、バネ部３５Ｂは弾性変形する。バネ部３５Ｂが弾性変形することにより、縦方向についてバネ部３５Ｂが側壁９Ａに対して突出する側とは反対側への力成分を有する反発力が、弾性力の反作用として、外装部３（第１の外装部材５及び第２の外装部材６）を含む電池１に作用する。
【００４２】
図１、図２、図４及び図６等に示すように、フランジ１３及び第２の外装部材６の開口縁１５から外側への突出部分には、折れ曲がり部４１Ａ，４１Ｂが形成される。折れ曲がり部４１Ａは、開口１２の周方向について、側壁（第２の側壁）８Ｂが延設される範囲に設けられ、縦方向に沿って延設される。また、折れ曲がり部４１Ｂは、開口１２の周方向について、側壁（第４の側壁）９Ｂが延設される範囲に設けられ、横方向に沿って延設される。また、折れ曲がり部４１Ａは、開口１２の周方向について、端子（第２の端子）２７Ｂから離れた位置に設けられる。そして、折れ曲がり部４１Ａ，４１Ｂは、開口１２の周方向について、端子２７Ａ，２７Ｂのいずれからも離れた位置に、設けられる。なお、図４及び図６では、折れ曲がり部４１Ｂが示されているが、折れ曲がり部４１Ａも、折れ曲がり部４１Ｂと同様の構成である。
【００４３】
本実施形態では、折れ曲がり部４１Ａ，４１Ｂは、第２の外装部材６のみから、形成される。折れ曲がり部４１Ａ，４１Ｂのそれぞれでは、第２の外装部材６は、溶接部３０から外側へ突出し、フランジ１３の外縁Ｅ１から外側へ突出する。そして、折れ曲がり部４１Ａ，４１Ｂのそれぞれは、第２の外装部材６においてフランジ１３の外縁Ｅ１から外側への突出部分から、形成される。したがって、開口１２の周方向について折れ曲がり部４１Ａが形成される範囲では、溶接部３０は、開口縁１５と折れ曲がり部４１Ａとの間に設けられる。そして、開口１２の周方向について折れ曲がり部４１Ｂが形成される範囲では、溶接部３０は、開口縁１５と折れ曲がり部４１Ｂとの間に設けられる。
【００４４】
折れ曲がり部（第１の折れ曲がり部）４１Ａは、横方向についてバネ部（第１のバネ部）３５Ａが突出する側とは反対側へ、側壁８Ｂに対して突出し、フランジ１３の外縁Ｅ１から横方向について外側へ突出する。折れ曲がり部（第２の折れ曲がり部）４１Ｂは、縦方向についてバネ部（第２のバネ部）３５Ｂが突出する側とは反対側へ、側壁９Ｂに対して突出し、フランジ１３の外縁Ｅ１から縦方向について外側へ突出する。
【００４５】
開口１２の周方向について折れ曲がり部４１Ａが形成される範囲では、第２の外装部材６の側壁８Ｂに対する突出部分に、折れ曲げ線Ｍ３が形成される。折れ曲げ線Ｍ３は、電池１の縦方向に沿って延設される。折り曲げ線Ｍ３で、第２の外装部材６が折れ曲がる。折り曲げ線Ｍ３は、溶接部３０に対して外側に位置し、フランジ１３の外縁Ｅ１に対して外側に位置する。折れ曲がり部４１Ａは、第２の外装部材６において、折り曲げ線Ｍ３と外縁Ｅ２との間の部分から形成される。
【００４６】
第２の外装部材６は、開口縁１５から折り曲げ線Ｍ３まで、横方向について外側へ向かって延設される。そして、折り曲げ線Ｍ３で第２の外装部材６が折れ曲がることにより、第２の外装部材６は、折り曲げ線Ｍ３から外縁Ｅ２まで、電池１の厚さ方向について底壁７が位置する側へ向かって延設される。折れ曲がり部４１Ａは、端面４２Ａを備える。電池１では、横方向についてバネ部３５Ａが突出する側とは反対側の端（基準端）Ｐ１が、端面４２Ａによって形成される。端面４２Ａは、折り曲げ線Ｍ３から第２の外装部材６の外縁Ｅ２まで形成される。また、端面４２Ａは、横方向についてバネ部３５Ａが突出する側とは反対側を向き、横方向について外側を向く。
【００４７】
開口１２の周方向について折れ曲がり部４１Ｂが形成される範囲では、第２の外装部材６の側壁９Ｂに対する突出部分に、折れ曲げ線Ｍ４が形成される。折れ曲げ線Ｍ４は、電池１の横方向に沿って延設される。折り曲げ線Ｍ４で、第２の外装部材６が折れ曲がる。折り曲げ線Ｍ４は、溶接部３０に対して外側に位置し、フランジ１３の外縁Ｅ１に対して外側に位置する。折れ曲がり部４１Ｂは、第２の外装部材６において、折り曲げ線Ｍ４と外縁Ｅ２との間の部分から形成される。
【００４８】
第２の外装部材６は、開口縁１５から折り曲げ線Ｍ４まで、縦方向について外側へ向かって延設される。そして、折り曲げ線Ｍ４で第２の外装部材６が折れ曲がることにより、第２の外装部材６は、折り曲げ線Ｍ４から外縁Ｅ２まで、電池１の厚さ方向について底壁７が位置する側へ向かって延設される。折れ曲がり部４１Ｂは、端面４２Ｂを備える。電池１では、縦方向についてバネ部３５Ｂが突出する側とは反対側の端Ｐ２が、端面４２Ｂによって形成される。端面４２Ｂは、折り曲げ線Ｍ４から第２の外装部材６の外縁Ｅ２まで形成される。また、端面４２Ｂは、縦方向についてバネ部３５Ｂが突出する側とは反対側を向き、縦方向について外側を向く。
【００４９】
なお、折れ曲がり部４１Ａ，４１Ｂのそれぞれは、外力に対して変形しない形状であることが、好ましい。例えば、図６の一例では、折れ曲がり部４１Ａ，４１Ｂのそれぞれでの折れ曲げ線（Ｍ３；Ｍ４）から第２の外装部材６の外縁Ｅ２までの寸法が、バネ部３５Ａ，３５Ｂのそれぞれでの折れ曲げ線（Ｍ１；Ｍ２）から折り返し線（Ｎ１；Ｎ２）までの寸法に比べて、小さい。すなわち、電池１の厚さ方向についての折れ曲がり部４１Ａ，４１Ｂのそれぞれの寸法が、電池１の厚さ方向についてのバネ部３５Ａ，３５Ｂのそれぞれの寸法に比べて、小さい。これにより、折れ曲がり部４１Ａ，４１Ｂのそれぞれでは、バネ部３５Ａ，３５Ｂと同様の荷重が第２の外装部材６の外縁Ｅ２に作用した場合でも、作用した荷重による曲げモーメントが小さくなる。
【００５０】
本実施形態の電池１は、横方向について、バネ部３５Ａが突出する側とは反対側の端（基準端）Ｐ１から端子２７Ａ，２７Ｂのそれぞれまでの距離が、電池１ごとにほとんどばらつくことなく、形成される。このため、製造される電池１のそれぞれでは、横方向について、バネ部３５Ａが突出する側とは反対側の端Ｐ１（端面４２Ａ）から端子（第１の端子）２７Ａの端子側接触面３７Ａまでは、所定の第１の距離Ｌ１と同一又は略同一となる。そして、製造される電池１のそれぞれでは、横方向について、端Ｐ１（端面４２Ａ）から端子（第２の端子）２７Ｂの端子側接触面３７Ｂまでは、所定の第２の距離Ｌ２と同一又は略同一となる。
【００５１】
本実施形態では、前述のように、バネ部３５Ａ，３５Ｂ及び折れ曲がり部４１Ａ，４１Ｂのそれぞれは、開口１２の周方向について、端子２７Ａ，２７Ｂのいずれからも離れた位置に、形成される。このため、バネ部３５Ａ，３５Ｂ及び折れ曲がり部４１Ａ，４１Ｂのそれぞれの、端子２７Ａ，２７Ｂへの接触が防止される。これにより、端子２７Ａ，２７Ｂの外装部３（第１の外装部材５及び第２の外装部材６）に対する電気的な絶縁が、確保される。
【００５２】
また、バネ部３５Ａ，３５Ｂ及び折れ曲がり部４１Ａ，４１Ｂは、以下のようにして、形成される。図７は、電池１の製造において、フランジ１３及び第２の外装部材６が溶接部３０で溶接された直後の状態を示す。図７に示すように、溶接部３０を形成した直後では、第２の外装部材６は、長方形板状であり、前述の折り曲げ線Ｍ１〜Ｍ４及び折り返し線Ｎ１，Ｎ２は、第２の外装部材６に形成されない。また、溶接部３０を形成した直後では、第２の外装部材６は、フランジ１３の外縁Ｅ１から外側に向かって突出する余剰部分４５を備える。この際、余剰部分４５は、開口１２の開口面に平行な方向について開口１２から離れる側に突出し、開口１２の周方向について全周に渡って形成される。また、開口１２の周方向について側壁８Ｂ，９Ｂが延設される範囲では、開口１２の周方向について側壁８Ａ，９Ａが延設される範囲に比べて、フランジ１３の外縁Ｅ１からの余剰部分４５の突出長さが短い。
【００５３】
図８は、図７の状態から、第２の外装部材６の余剰部分４５において一部をトリミングした状態を示す。図８に示すように、バネ部３５Ａ，３５Ｂ及び折れ曲がり部４１Ａ，４１Ｂの形成においては、図７の状態から、レーザ加工等によって、余剰部分４５の一部をトリミングし、トリミング部分４６を形成する。この際、開口の周方向について、第２の外装部材６の長方形の４つの角部及びその近傍、及び、端子２７Ａ，２７Ｂが延設される範囲に、トリミング部分４６が形成される。トリミング部分４６では、第２の外装部材６は、フランジ１３の外縁Ｅ１に対して外側へ突出しない。
【００５４】
トリミング部分４６を形成すると、開口の周方向について側壁８Ａが延設される範囲において、余剰部分４５に前述の折り曲げ線Ｍ１及び折り返し線Ｎ１を形成し、バネ部３５Ａを形成する。また、開口の周方向について側壁９Ａが延設される範囲において、余剰部分４５に前述の折り曲げ線Ｍ２及び折り返し線Ｎ２を形成し、バネ部３５Ｂを形成する。そして、開口の周方向について側壁８Ｂが延設される範囲において、余剰部分４５に前述の折り曲げ線Ｍ３を形成し、折れ曲がり部４１Ａを形成する。また、開口の周方向について側壁９Ｂが延設される範囲において、余剰部分４５に前述の折り曲げ線Ｍ４を形成し、折れ曲がり部４１Ｂを形成する。
【００５５】
前述のように、本実施形態では、第２の外装部材６の余剰部分４５からバネ部３５Ａ，３５Ｂ及び折れ曲がり部４１Ａ，４１Ｂのそれぞれが、形成される。このため、バネ部３５Ａ，３５Ｂ及び折れ曲がり部４１Ａ，４１Ｂが容易に形成され、電池１の製造における手間等が低減される。
【００５６】
（第１の実施形態の変形例）  
なお、バネ部３５Ａ，３５Ｂは、前述の構成に限るものではない。図９の第１の実施形態の第１の変形例では、バネ部３５Ａにおいて、折り返し線Ｎ１から第２の外装部材６の外縁Ｅ２までの延設部分は、折り曲げ線Ｍ１から折り返し線Ｎ１までの延設部分に対して、外側に位置する。すなわち、バネ部３５Ａにおいて折り曲げ線Ｍ１から折り返し線Ｎ１までの延設部分は、バネ部３５Ａにおいて折り返し線Ｎ１から第２の外装部材６の外縁Ｅ２までの延設部分と側壁８Ａとの間に、位置する。そして、バネ部３５Ｂにおいて、折り返し線Ｎ２から第２の外装部材６の外縁Ｅ２までの延設部分は、折り曲げ線Ｍ２から折り返し線Ｎ２までの延設部分に対して、外側に位置する。すなわち、バネ部３５Ｂにおいて折り曲げせんＭ２から折り返し線Ｎ２までの延設部分は、バネ部３５Ｂにおいて折り返し線Ｎ２から第２の外装部材６の外縁Ｅ２までの延設部分と側壁９Ａとの間に、位置する。
【００５７】
また、図１０の第１の実施形態の第２の変形例では、バネ部３５Ａに折り返し線Ｎ１が形成されず、バネ部３５Ｂに折り返し線Ｎ２が形成されない。このため、バネ部３５Ａでは、第２の外装部材６は、折り曲げ線Ｍ１から外縁Ｅ２まで、電池１の厚さ方向について底壁７が位置する側へ向かって延設される。そして、バネ部３５Ｂでは、第２の外装部材６は、折り曲げ線Ｍ２から外縁Ｅ２まで、電池１の厚さ方向について底壁７が位置する側へ向かって延設される。
【００５８】
また、図１０の変形例と同様にバネ部３５Ａが折り曲げ線Ｍ１から第２の外装部材６の外縁Ｅ２まで底壁７が位置する側へ向かって延設される構成では、バネ部３５Ａにおいて折り曲げ線Ｍ１と第２の外装部材６の外縁Ｅ２との間に、別の折り曲げ線が形成されてもよい。この場合、その折り曲げ線は、電池１の縦方向に沿って延設される。そして、その折り曲げ線によって、開口縁１５から折り曲げ線Ｍ１までの第２の外装部材６の延設部分に対するバネ部３５Ａの折れ曲がり角度が、変化する。また、図１０の変形例と同様にバネ部３５Ｂが折り曲げ線Ｍ２から第２の外装部材６の外縁Ｅ２まで底壁７が位置する側へ向かって延設される構成では、バネ部３５Ｂにおいて折り曲げ線Ｍ２と第２の外装部材６の外縁Ｅ２との間に、別の折り曲げ線が形成されてもよい。この場合、その折り曲げ線は、電池１の横方向に沿って延設される。そして、その折り曲げ線によって、開口縁１５から折り曲げ線Ｍ２までの第２の外装部材６の延設部分に対するバネ部３５Ｂの折れ曲がり角度が、変化する。
【００５９】
また、図１１の第１の実施形態の第３の変形例では、バネ部３５Ａ，３５Ｂのそれぞれは、フランジ１３及び第２の外装部材６の両方から形成される。本変形例では、折り曲げ線Ｍ１において、フランジ１３及び第２の外装部材６の両方が折り曲げられる。そして、バネ部３５Ａでは、フランジ１３が、折り曲げ線Ｍ１から外縁Ｅ１まで、電池１の厚さ方向について底壁７が位置する側へ向かって延設され、第２の外装部材６が、折り曲げ線Ｍ１から外縁Ｅ２まで、電池１の厚さ方向について底壁７が位置する側へ向かって延設される。また、本変形例では、折り曲げ線Ｍ２において、フランジ１３及び第２の外装部材６の両方が折り曲げられる。そして、バネ部３５Ｂでは、フランジ１３が、折り曲げ線Ｍ２から外縁Ｅ１まで、電池１の厚さ方向について底壁７が位置する側へ向かって延設され、第２の外装部材６が、折り曲げ線Ｍ２から外縁Ｅ２まで、電池１の厚さ方向について底壁７が位置する側へ向かって延設される。
【００６０】
また、図１１の変形例と同様にバネ部３５Ａがフランジ１３及び第２の外装部材６の両方から形成される構成では、バネ部３５Ａに溶接部３０が形成されてもよい。この場合、折り曲げ線Ｍ１とフランジ１３の外縁Ｅ１との間、すなわち、折り曲げ線Ｍ１と第２の外装部材６の外縁Ｅ２との間に、溶接部３０が形成される。また、図１１の変形例と同様にバネ部３５Ｂがフランジ１３及び第２の外装部材６の両方から形成される構成では、バネ部３５Ｂに溶接部３０が形成されてもよい。この場合、折り曲げ線Ｍ２とフランジ１３の外縁Ｅ１との間、すなわち、折り曲げ線Ｍ２と第２の外装部材６の外縁Ｅ２との間に、溶接部３０が形成される。
【００６１】
また、ある変形例では、バネ部３５Ａ，３５Ｂのそれぞれは、フランジ１３のみから形成される。この場合、バネ部３５Ａ，３５Ｂのそれぞれにおいて、フランジ１３は、第２の外装部材６の外縁Ｅ２から外側へ突出する。そして、フランジ１３において第２の外装部材６の外縁Ｅ２からの突出部分から、バネ部３５Ａ，３５Ｂのそれぞれが形成される。なお、フランジ１３のみからバネ部３５Ａ，３５Ｂのそれぞれが形成される場合、第１の外装部材５の肉厚は、ある程度厚いことが好ましく、例えば、第１の外装部材５の肉厚は、第２の外装部材６の肉厚に比べて厚いことが好ましい。
【００６２】
また、折れ曲がり部４１Ａ，４１Ｂのそれぞれも、バネ部３５Ａ，３５Ｂと同様に、フランジ１３及び第２の外装部材６の両方から形成されてもよく、フランジ１３のみから形成されてもよい。また、折れ曲がり部４１Ａがフランジ１３及び第２の外装部材６の両方から形成される場合は、折れ曲がり部４１Ａに溶接部３０が形成されてもよい。同様に、折れ曲がり部４１Ｂがフランジ１３及び第２の外装部材６の両方から形成される場合は、折れ曲がり部４１Ｂに溶接部３０が形成されてもよい。
【００６３】
前述のように、バネ部３５Ａ，３５Ｂ及び折れ曲がり部４１Ａ，４１Ｂのそれぞれは、フランジ１３及び第２の外装部材６の少なくとも一方から、形成可能である。ただし、電池１の製造における手間等を低減する観点から、バネ部３５Ａ，３５Ｂ及び折れ曲がり部４１Ａ，４１Ｂのそれぞれは、第２の外装部材６のみから形成されることが好ましい。
【００６４】
また、図１２の第１の実施形態の第４の変形例では、電池１に折れ曲がり部４１Ａ，４１Ｂが形成されない。本変形例では、電池１に、折り曲げ線Ｍ３，Ｍ４が形成されない。そして、開口１２の周方向について側壁８Ｂが延設される範囲では、フランジ１３及び第２の外装部材６のそれぞれは、開口縁１５から外縁（Ｅ１；Ｅ２）まで、横方向について外側に向かって延設される。また、開口１２の周方向について側壁９Ｂが延設される範囲では、フランジ１３及び第２の外装部材６のそれぞれは、開口縁１５から外縁（Ｅ１；Ｅ２）まで、縦方向について外側に向かって延設される。本変形例の電池１では、横方向についてバネ部３５Ａが突出する側とは反対側の端（基準端）Ｐ１が、フランジ１３の外縁Ｅ１及び第２の外装部材６の外縁Ｅ２によって、形成される。そして、電池１では、縦方向についてバネ部３５Ｂが突出する側とは反対側の端Ｐ２が、フランジ１３の外縁Ｅ１及び第２の外装部材６の外縁Ｅ２によって、形成される。
【００６５】
また、前述の実施形態等では、バネ部（第１のバネ部）３５Ａは、横方向について端子（第１の端子）２７Ａが突出する側に、側壁（８Ａ，８Ｂ，９Ａ，９Ｂ）に対して突出するが、これに限るものではない。ある変形例では、バネ部（第１のバネ部）３５Ａは、横方向について端子（第１の端子）２７Ａが突出する側とは反対側に、側壁（８Ａ，８Ｂ，９Ａ，９Ｂ）に対して突出する。すなわち、バネ部（第１のバネ部）３５Ａは、横方向について端子（第２の端子）２７Ｂが突出する側に、側壁（８Ａ，８Ｂ，９Ａ，９Ｂ）に対して突出する。この場合も、バネ部（第１のバネ部）３５Ａに外側から力が作用することにより、バネ部３５Ａは弾性変形する。そして、バネ部３５Ａが弾性変形することにより、横方向についてバネ部３５Ａが側壁（８Ａ，８Ｂ，９Ａ，９Ｂ）に対して突出する側とは反対側への力成分を有する反発力が、弾性力の反作用として、外装部３を含む電池１に作用する。
【００６６】
また、前述の実施形態等では、端子２７Ａ，２７Ｂは、横方向について互いに対して反対側に側壁（８Ａ，８Ｂ，９Ａ，９Ｂ）の外表面において突出するが、これに限るものではない。図１３に示す第１の実施形態の第５の変形例では、端子２７Ａ，２７Ｂの両方が、側壁８Ｂの外表面に取付けられる。このため、端子２７Ａ，２７Ｂは、横方向について互いに対して同一の側に、側壁（８Ａ，８Ｂ，９Ａ，９Ｂ）の外表面において突出する。本変形例では、開口１２の周方向について側壁８Ａが延設される範囲に、バネ部３５Ａが形成される。そして、開口１２の周方向について側壁８Ｂが延設される範囲に、折れ曲がり部４１Ａが形成される。
【００６７】
前述のような構成であるため、本変形例では、バネ部（第１のバネ部）３５Ａは、横方向について端子（第１の端子）２７Ａ及び端子（第２の端子）２７Ｂが突出する側とは反対側に、側壁（８Ａ，８Ｂ，９Ａ，９Ｂ）に対して突出する。そして、折れ曲がり部４１Ａは、横方向について端子２７Ａ，２７Ｂが突出する側に、側壁（８Ａ，８Ｂ，９Ａ，９Ｂ）に対して突出する。また、本変形例の電池１では、横方向についてバネ部３５Ａが突出する側とは反対側の端（基準端）Ｐ１が、折れ曲がり部４１Ａの端面４２Ａによって形成される。本変形例でも、バネ部（第１のバネ部）３５Ａに外側から力が作用することにより、バネ部３５Ａは弾性変形する。そして、バネ部３５Ａが弾性変形することにより、横方向についてバネ部３５Ａが側壁（８Ａ，８Ｂ，９Ａ，９Ｂ）に対して突出する側とは反対側への力成分を有する反発力が、弾性力の反作用として、外装部３を含む電池１に作用する。
【００６８】
また、図１３の変形例と同様に端子２７Ａ，２７Ｂが横方向について互いに対して同一の側に突出する構成では、バネ部（第１のバネ部）３５Ａは、横方向について端子（第１の端子）２７Ａ及び端子（第２の端子）２７Ｂが突出する側に設けられてもよい。この場合も、バネ部（第１のバネ部）３５Ａに外側から力が作用することにより、バネ部３５Ａは弾性変形する。そして、バネ部３５Ａが弾性変形することにより、横方向についてバネ部３５Ａが側壁（８Ａ，８Ｂ，９Ａ，９Ｂ）に対して突出する側とは反対側への力成分を有する反発力が、弾性力の反作用として、外装部３を含む電池１に作用する。
【００６９】
また、ある変形例では、バネ部（第２のバネ部）３５Ｂが設けられなくてもよい。ただし、この場合も、バネ部（第１のバネ部）３５Ａは、設けられる。そして、バネ部３５Ａが弾性変形することにより、横方向についてバネ部３５Ａが側壁（８Ａ，８Ｂ，９Ａ，９Ｂ）に対して突出する側とは反対側への力成分を有する反発力が、弾性力の反作用として、外装部３を含む電池１に作用する。
【００７０】
また、ある変形例では、内部空間１１に複数の電極群が収納されてもよい。また、別のある変形例では、第２の外装部材６が、略板状ではなく、第１の外装部材５と同様の底付きの箱筒状に形成される。この場合、第２の外装部材６も、底壁、側壁及びフランジを備える状態に、形成される。そして、第１の外装部材５のフランジ１３及び第２の外装部材６のフランジが、溶接部３０で、気密に溶接される。本変形例の電池１でも、溶接部３０によって、開口１２の周方向について全周に渡って、フランジ１３及び第２の外装部材６が気密に溶接される。そして、電極群１０が収納される内部空間１１は、外装部３の外部に対して密閉される。
【００７１】
前述の実施形態等の電池（１）では、一対の電極端子である第１の端子（２７Ａ）及び第２の端子（２７Ｂ）が、横方向について、互いに対して同一の側、又は、互いに対して反対側に、側壁（８Ａ，８Ｂ，９Ａ，９Ｂ）の外表面において突出する。そして、バネ部（３５Ａ）が、フランジ（１３）及び第２の外装部材（６）の開口縁（１５）からの突出部分において、フランジ（１３）及び第２の外装部材（６）の少なくとも一方から形成される。バネ部（３５Ａ）は、横方向について、第１の端子（２７Ａ）が突出する側、又は、第１の端子（２７Ａ）が突出する側とは反対側に、側壁（８Ａ，８Ｂ，９Ａ，９Ｂ）に対して突出する。外側からの外力の作用によってバネ部（３５Ａ）が弾性変形することにより、横方向についてバネ部（３５Ａ）が側壁（８Ａ，８Ｂ，９Ａ，９Ｂ）に対して突出する側とは反対側への力成分を有する反発力が、バネ部（３５Ａ）の弾性力の反作用として、第１の外装部材（５）及び第２の外装部材（６）に作用する。
【００７２】
［電池アセンブリ］  
次に、前述の実施形態（第１の実施形態及びその変形例）等の電池のいずれかを備える電池アセンブリについて説明する。電池アセンブリは、前述の実施形態等の電池のいずれかと、電池を収納するケースと、を備える。
【００７３】
（第２の実施形態）  
図１４は、電池アセンブリの一例として第２の実施形態に係る電池アセンブリ５０を示す。図１４に示すように、電池アセンブリ５０は、電池１と、ケース５１と、を備える。本実施形態では、電池１は、第１の実施形態と同様の構成の電池が用いられる。ここで、電池アセンブリ５０でも、電池１と同様に、縦方向（矢印Ｘ１及び矢印Ｘ２で示す方向）、横方向（矢印Ｙ１及び矢印Ｙ２で示す方向）、及び、厚さ方向（矢印Ｚ１及び矢印Ｚ２で示す方向）を規定する。
【００７４】
図１５及び図１６は、ケース５１を示し、図１５及び図１６では、ケース５１を視る方向が互いに対して異なる。また、図１７は、図１４の断面Ａ２を示し、電池アセンブリ５０において横方向に垂直又は略垂直な断面を示す。図１８は、図１７の領域Ｈ３を拡大して示し、図１９は、図１７の領域Ｈ４を拡大して示す。図１４乃至図１９に示すように、ケース５１は、ケース底壁５２及び二対のケース側壁５３Ａ，５３Ｂ，５５Ａ，５５Ｂを有し、略長方形状の底付きの箱状に形成される。ケース５１では、ケース底壁５２及びケース側壁５３Ａ，５３Ｂ，５５Ａ，５５Ｂによって、収納空間６１が規定される。収納空間６１には、電池１が収納される。なお、ケース５１では、収納空間６１が位置する側を内側とし、収納空間６１が位置する側とは反対側を外側とする。
【００７５】
ケース５１では、厚さ方向についてケース底壁５２とは反対側に、収納空間６１の開口として、ケース開口６２が形成される。そして、ケース側壁５３Ａ，５３Ｂ，５５Ａ，５５Ｂでは、厚さ方向についてケース底壁５２とは反対側の端に、ケース開口６２の開口縁６３が形成される。ケース開口６２の開口縁６３は、ケース開口６２の周方向に沿って延設される。本実施形態では、ケース開口６２は、略長方形状に形成され、開口縁６３は、略長方形状の外縁を形成する。また、収納空間６１は、ケース開口６２において厚さ方向の一方側（矢印Ｚ１側）に向かって開口する。そして、ケース開口６２の開口面は、縦方向及び横方向に対して平行又は略平行になる。
【００７６】
ケース５１では、一対のケース側壁５３Ａ，５３Ｂのそれぞれは、縦方向に沿って延設され、ケース側壁５５Ａからケース側壁５５Ｂまで縦方向に連続する。そして、一対のケース側壁５５Ａ，５５Ｂのそれぞれは、横方向に沿って延設され、ケース側壁５３Ａからケース側壁５３Ｂまで横方向に連続する。ケース側壁５３Ａ，５３Ｂは、収納空間６１を挟んで互いに対して対向し、横方向に離れて配置される。そして、ケース側壁５５Ａ，５５Ｂは、収納空間６１を挟んで互いに対して対向し、縦方向に離れて配置される。また、ケース側壁５３Ａ，５３Ｂ，５５Ａ，５５Ｂのそれぞれは、ケース底壁５２からケース開口６２に向かって延設される。
【００７７】
電池アセンブリ５０は、ケース側壁５３Ａ，５３Ｂの間の横方向についての寸法、すなわち、収納空間６１の横方向についての寸法が、ケース５１ごと（電池アセンブリ５０ごと）にほとんどばらつくことなく、形成される。このため、製造される電池アセンブリ５０のそれぞれでは、ケース側壁５３Ａ，５３Ｂの間の寸法は、所定の基準寸法Ｌ０と同一又は略同一となる。なお、本実施形態の電池アセンブリ５０は、ケース側壁５５Ａ，５５Ｂの間の縦方向についての寸法、すなわち、収納空間６１の縦方向についての寸法も、ケース５１ごと（電池アセンブリ５０ごと）にほとんどばらつくことなく、形成される。
【００７８】
ケース５１では、ケース側壁５３Ａに凹部５６Ａが設けられ、ケース側壁５３Ｂに凹部５６Ｂが設けられる。凹部５６Ａ，５６Ｂのそれぞれでは、開口縁６３が、ケース底壁５２が位置する側へ凹む。このため、凹部５６Ａ，５６Ｂのそれぞれでのケース底壁５２から開口縁６３までの電池アセンブリ５０の厚さ方向についての寸法は、凹部５６Ａ，５６Ｂ以外の部位でのケース底壁５２から開口縁６３までの電池アセンブリ５０の厚さ方向についての寸法に比べて、小さい。本実施形態では、凹部５６Ａは、電池アセンブリ５０の縦方向についてケース側壁５３Ａの中央位置又は略中央位置に配置され、凹部５６Ｂは、電池アセンブリ５０の縦方向についてケース側壁５３Ｂの中央位置又は略中央位置に配置される。
【００７９】
また、ケース側壁５３Ａには、一対の孔（第１の連結部）５７Ａが形成され、ケース側壁５３Ｂには、一対の孔（第２の連結部）５７Ｂが形成される。孔５７Ａ，５７Ｂのそれぞれは、厚さ方向について、開口縁６３からケース底壁５２までケース５１を貫通する。また、孔５７Ａ，５７Ｂのそれぞれは、電池アセンブリ５０の厚さ方向に沿って、延設される。本実施形態では、孔５７Ａ，５７Ｂのそれぞれは、略長方形状の外縁を形成する開口縁６３において、略長方形状の４つの角部の対応する１つに位置し、他の３つの孔（５７Ａ，５７Ｂの対応する３つ）とは異なる角部に形成される。また、孔５７Ａ，５７Ｂは、電池アセンブリ５０の他の電池アセンブリへの連結位置となる。電池アセンブリ５０は、例えば、孔５７Ａ，５７Ｂのそれぞれにボルト７２（後述の図２２及び図２３参照）を挿通することにより、他の電池アセンブリに連結される。
【００８０】
孔（第１の孔）５７Ａのそれぞれは、横方向について、ケース側壁５３Ａの内表面に対して外側に形成される。また、一対の孔（第１の連結部）５７Ａは、縦方向について、互いに対して離れて位置する。本実施形態では、孔５７Ａの一方は、電池アセンブリ５０の縦方向について、ケース側壁５３Ａの一端部に形成され、孔５７Ａの他方は、電池アセンブリ５０の縦方向について、ケース側壁５３Ａの他端部に形成される。ただし、一対の孔５７Ａは、電池アセンブリ５０の横方向については、互いに対してずれていない、又は、ほとんどずれていない。
【００８１】
孔（第２の孔）５７Ｂのそれぞれは、横方向について、ケース側壁５３Ｂの内表面に対して外側に形成される。また、一対の孔（第２の連結部）５７Ｂは、縦方向について、互いに対して離れて位置する。本実施形態では、孔５７Ｂの一方は、電池アセンブリ５０の縦方向について、ケース側壁５３Ｂの一端部に形成され、孔５７Ｂの他方は、電池アセンブリ５０の縦方向について、ケース側壁５３Ｂの他端部に形成される。ただし、一対の孔５７Ｂは、電池アセンブリ５０の横方向については、互いに対してずれていない、又は、ほとんどずれていない。
【００８２】
本実施形態の電池アセンブリ５０は、横方向について孔（第１の連結部）５７Ａのそれぞれからケース側壁５３Ａの内表面までの距離が、ケース５１ごと（電池アセンブリ５０ごと）にほとんどばらつくことなく、形成される。そして、電池アセンブリ５０は、横方向について孔（第２の連結部）５７Ｂのそれぞれからケース側壁５３Ｂの内表面までの距離も、ケース５１ごと（電池アセンブリ５０ごと）にほとんどばらつくことなく、形成される。また、本実施形態では、横方向について孔（第１の連結部）５７Ａのそれぞれからケース側壁５３Ａの内表面までの距離は、横方向について孔（第２の連結部）５７Ｂのそれぞれからケース側壁５３Ｂの内表面までの距離と、同一又は略同一になる。
【００８３】
また、孔５７Ａのそれぞれには、非円形断面部５８Ａが形成され、孔５７Ｂのそれぞれには、非円形断面部５８Ｂが形成される。孔５７Ａのそれぞれでは、ケース底壁５２の外表面から開口縁６３が位置する側に向かって、電池アセンブリ５０の厚さ方向に沿って非円形断面部５８Ａが延設される。また、孔５７Ｂのそれぞれでは、ケース底壁５２の外表面から開口縁６３が位置する側に向かって、電池アセンブリ５０の厚さ方向に沿って非円形断面部５８Ｂが延設される。孔５７Ａのそれぞれの断面形状は、非円形断面部５８Ａ以外の部位において、円形状又は略円形状となり、非円形断面部５８Ａにおいて多角形状等の非円形状となる。同様に、孔５７Ｂのそれぞれの断面形状は、非円形断面部５８Ｂ以外の部位において、円形状又は略円形状となり、非円形断面部５８Ｂにおいて多角形状等の非円形状となる。図１４等の一例では、孔５７Ａ，５７Ｂのそれぞれの断面形状は、非円形断面部（５８Ａ；５８Ｂ）において、六角形状又は略六角形状になる。また、孔５７Ａのそれぞれでは、非円形断面部５８Ａにおいて、他の部位に比べて断面積が大きく、孔５７Ｂのそれぞれでは、非円形断面部５８Ｂにおいて、他の部位に比べて断面積が大きい。
【００８４】
また、ケース５１では、ケース底壁５２の外表面に突出部６５が設けられる。突出部６５は、電池アセンブリ５０の厚さ方向について、ケース開口６２が開口する側とは反対側に、突出する。図１６等の一例では、突出部６５は、ケース底壁５２の外表面の大部分に渡って形成され、ケース底壁５２の外表面では、ケース底壁５２の外縁及びその近傍部分を除き、突出部６５が形成される。なお、ケース底壁５２の外表面では、前述の孔５７Ａ，５７Ｂは、突出部６５以外の部位に、形成される。
【００８５】
収納空間６１では、電池１の側壁８Ａが、バネ部３５Ａを挟んで、ケース側壁５３Ａと対向し、電池１の側壁８Ｂが、折れ曲がり部４１Ａを挟んで、ケース側壁５３Ｂと対向する。そして、電池１の側壁９Ａが、バネ部３５Ｂを挟んで、ケース側壁５５Ａと対向し、電池１の側壁９Ｂが、折れ曲がり部４１Ｂを挟んで、ケース側壁５５Ｂと対向する。そして、収納空間６１では、電池１の第２の外装部材６が、ケース底壁５２の内表面に当接する。また、電池１の底壁７の外表面は、厚さ方向について、ケース開口６２が開口する側を向く。端子（第１の端子）２７Ａは、ケース開口６２の周方向について、凹部５６Ａが形成される範囲に配置され、端子（第２の端子）２７Ｂは、ケース開口６２の周方向について、凹部５６Ｂが形成される範囲に配置される。このため、端子２７Ａは、凹部５６Ａを通して、ケース５１の外部に露出し、端子２７Ｂは、凹部５６Ｂを通して、ケース５１の外部に露出する。
【００８６】
前述のように電池１が収納されるため、収納空間６１では、ケース側壁５３Ａからの外力によって、バネ部３５Ａが弾性変形する。バネ部３５Ａが弾性変形することにより、横方向についてバネ部３５Ａが側壁８Ａに対して突出する側とは反対側への力成分を有する反発力が、弾性力の反作用として、ケース側壁５３Ａから電池１に作用する。そして、ケース側壁５３Ａからの反発力によって、電池１は、折れ曲がり部４１Ａの端面４２Ａで、ケース側壁５３Ｂに当接する。すなわち、電池１は、横方向についてバネ部３５Ａが突出する側とは反対側の端（基準端）Ｐ１で、ケース側壁５３Ｂに当接する。この際、電池１の端（第１の基準端）Ｐ１は、ケース側壁５３Ｂにおいて当接位置（第１の当接位置）Ｔ１に当接する。
【００８７】
また、収納空間６１では、ケース側壁５５Ａからの外力によって、バネ部３５Ｂが弾性変形する。バネ部３５Ｂが弾性変形することにより、縦方向についてバネ部３５Ｂが側壁９Ａに対して突出する側とは反対側への力成分を有する反発力が、弾性力の反作用として、ケース側壁５５Ａから電池１に作用する。そして、ケース側壁５５Ａからの反発力によって、電池１は、折れ曲がり部４１Ｂの端面４２Ｂで、ケース側壁５５Ｂに当接する。すなわち、電池１は、縦方向についてバネ部３５Ｂが突出する側とは反対側の端Ｐ２で、ケース側壁５５Ｂに当接する。この際、電池１の端（第２の基準端）Ｐ２は、ケース側壁５５Ｂにおいて当接位置（第２の当接位置）Ｔ２に当接する。
【００８８】
第１の実施形態で前述したように、製造される電池１のそれぞれでは、横方向について、バネ部３５Ａが突出する側とは反対側の端Ｐ１（端面４２Ａ）から端子（第１の端子）２７Ａの端子側接触面３７Ａまでは、所定の第１の距離Ｌ１と同一又は略同一となる。そして、製造される電池１のそれぞれでは、横方向について、端Ｐ１（端面４２Ａ）から端子（第２の端子）２７Ｂの端子側接触面３７Ｂまでは、所定の第２の距離Ｌ２と同一又は略同一となる。そして、本実施形態の電池アセンブリ５０では、バネ部３５Ａの弾性力に対する反発力によって、電池１は、横方向についてバネ部３５Ａが突出する側とは反対側の端（基準端）Ｐ１で、ケース側壁５３Ｂに当接する。したがって、製造される電池アセンブリ５０のそれぞれでは、横方向について、ケース側壁５３Ｂへの電池１の端（基準端）Ｐ１の当接位置Ｔ１から端子（第１の端子）２７Ａの端子側接触面３７Ａまでは、所定の第１の距離Ｌ１と同一又は略同一となる。そして、製造される電池アセンブリ５０のそれぞれでは、横方向について、ケース側壁５３Ｂへの電池１の端（基準端）Ｐ１の当接位置Ｔ１から端子（第２の端子）２７Ｂの端子側接触面３７Ｂまでは、所定の第２の距離Ｌ２と同一又は略同一となる。
【００８９】
前述のように電池アセンブリ５０が形成されるため、本実施形態の電池アセンブリ５０では、ケース側壁５３Ｂから端子２７Ａ，２７Ｂのそれぞれまでの距離が、電池アセンブリ５０ごとにほとんどばらつくことなく、形成される。このため、本実施形態の電池アセンブリ５０は、横方向についてのケース５１に対する端子２７Ａ，２７Ｂのそれぞれの位置関係が電池アセンブリ５０ごとにほとんどばらつくことなく、形成される。したがって、本実施形態では、横方向についてのケース５１と電池１との位置関係に関する電池アセンブリ５０ごとのばらつきが、抑制される。また、本実施形態では、電池１にバネ部３５Ａと同様のバネ部３５Ｂが形成されるため、縦方向についてのケース５１と電池１との位置関係に関する電池アセンブリ５０ごとのばたつきも、抑制される。
【００９０】
前述のように、本実施形態では、電池アセンブリ５０ごとにばらつくことなく、全ての電池アセンブリ５０のそれぞれにおいて、収納空間６１で電池１が、精度良くケース５１に対して配置される。すなわち、収納空間６１でケース５１に対して電池１が精度良く配置される電池アセンブリ５０が提供される。
【００９１】
また、本実施形態では、電池１に折れ曲がり部４１Ａが形成され、電池１では、横方向についてバネ部３５Ａが突出する側とは反対側の端（基準端）Ｐ１は、折れ曲がり部４１Ａの端面４２Ａによって、形成される。そして、折れ曲がり部４１Ａの端面４２Ａが、ケース側壁５３Ｂに、面で当接する。このため、電池１では、横方向についてバネ部３５Ａが突出する側とは反対側の端（基準端）Ｐ１が、ケース側壁５３Ａに確実に当接する。したがって、横方向についてのケース５１と電池１との位置関係の精度が、さらに向上する。また、本実施形態では、電池１に折れ曲がり部４１Ａと同様の折れ曲がり部４１Ｂが形成されるため、縦方向についてのケース５１と電池１との位置関係の精度も、さらに向上する。
【００９２】
（第２の実施形態の変形例）  
なお、第２の実施形態では、第１の実施形態の電池１が用いられたが、電池アセンブリ５０に用いられる電池１は、前述の実施形態等のようにバネ部３５Ａが形成される電池であればよい。バネ部３５Ａが設けられる電池１を用いることにより、第２の実施形態と同様に、電池アセンブリ５０は、横方向についてのケース５１に対する端子２７Ａ，２７Ｂのそれぞれの位置関係が電池アセンブリ５０ごとにほとんどばらつくことなく、形成される。したがって、横方向についてのケース５１と電池１との位置関係に関する電池アセンブリ５０ごとのばらつきが、抑制される。これにより、電池アセンブリ５０ごとにばらつくことなく、全ての電池アセンブリ５０のそれぞれにおいて、収納空間６１で電池１が、精度良くケース５１に対して配置される。
【００９３】
また、図２０に示す第２の実施形態の第１の変形例では、ケース底壁５２の外表面に、突出部６５の代わりに、（本変形例では４つの）突起６６が設けられる。突起６６のそれぞれは、電池アセンブリ５０の厚さ方向について、ケース開口６２が開口する側とは反対側に、突出する。本変形例では、突起６６のそれぞれは、略長方形状のケース底壁５２の外表面において、略長方形状の４つの角部の対応する１つに位置し、他の３つの突起（６６の対応する３つ）とは異なる角部に形成される。また、突起６６のそれぞれは、電池アセンブリ５０の横方向について、孔５７Ａ，５７Ｂに対して、内側に配置される。
【００９４】
また、ある変形例では、ケース底壁５２の外表面に突出部６５及び突起６６の両方が、設けられてもよい。この場合、突出部６５の突出端面に、突起６６が形成される。そして、突起６６のそれぞれは、電池アセンブリ５０の厚さ方向について、ケース開口６２が開口する側とは反対側に、突出部６５の突出端面からさらに突出する。
【００９５】
また、図２１に示す第２の実施形態の第２の変形例では、横方向について孔（第１の連結部）５７Ａのそれぞれからケース側壁５３Ａの内表面までの距離が、横方向について孔（第２の連結部）５７Ｂのそれぞれからケース側壁５３Ｂの内表面までの距離とは、異なる。ただし、本変形例の電池アセンブリ５０も、横方向について孔（第１の連結部）５７Ａのそれぞれからケース側壁５３Ａの内表面までの距離が、ケース５１ごと（電池アセンブリ５０ごと）にほとんどばらつくことなく、形成される。そして、電池アセンブリ５０は、横方向について孔（第２の連結部）５７Ｂのそれぞれからケース側壁５３Ｂの内表面までの距離も、ケース５１ごと（電池アセンブリ５０ごと）にほとんどばらつくことなく、形成される。
【００９６】
本変形例では、製造される電池アセンブリ５０のそれぞれにおいて、横方向について孔（第１の連結部）５７Ａのそれぞれからケース側壁５３Ａの内表面までが、所定の第３の距離α１と同一又は略同一になる。そして、製造される電池アセンブリ５０のそれぞれでは、横方向について孔（第２の連結部）５７Ｂのそれぞれからケース側壁５３Ｂの内表面までが、所定の第４の距離α２と同一又は略同一になる。本変形例では、第３の距離α１は、第４の距離α２に比べて、小さい。第４の距離α２に対する第３の距離α１の差は、所定の大きさγと同一又は略同一になる。所定の大きさγは、前述の第１の距離Ｌ１及び第２の距離Ｌ２に少なくとも基づく値である。本変形例では、所定の大きさγは、前述の基準寸法Ｌ０、第１の距離Ｌ１及び第２の距離Ｌ２に対して、γ＝α２−α１＝Ｌ０−（Ｌ１＋Ｌ２）の関係が成立する。
【００９７】
また、ある変形例では、ケース５１の収納空間６１において、電池１の第１の外装部材５の底壁７が、ケース底壁５２の内表面に当接する。また、電池１の第２の外装部材６の外表面は、厚さ方向について、ケース開口６２が開口する側を向く。ただし、本変形例でも、収納空間６１において、電池１の側壁８Ａが、バネ部３５Ａを挟んで、ケース側壁５３Ａと対向する。
【００９８】
前述の実施形態等の電池アセンブリ（５０）では、第１の実施形態及びその変形例の電池（１）のいずれかが、ケース（５１）の収納空間（６１）に収納される。そして、収納空間（６１）では、バネ部（３５Ａ）の弾性力の反作用として、ケース側壁（５３Ａ，５３Ｂ，５５Ａ，５５Ｂ）からの反発力が、電池（１）に作用する。そして、収納空間（６１）において、電池（１）は、ケース側壁（５３Ａ，５３Ｂ，５５Ａ，５５Ｂ）からの反発力によって、横方向についてバネ部（３５Ａ）が突出する側とは反対側の端である基準端（Ｐ１）で、ケース側壁（５３Ａ，５３Ｂ，５５Ａ，５５Ｂ）に当接する。
【００９９】
［電池モジュール］  
次に、電池モジュールについて説明する。電池モジュールは、電池アセンブリを複数備え、電池アセンブリのそれぞれは、前述の実施形態（第２の実施形態及びその変形例）等の電池アセンブリのいずれかと同様の構成である。
【０１００】
（第３の実施形態）  
図２２及び図２３は、電池モジュールの一例として第３の実施形態に係る電池モジュール７０を示す。図２２及び図２３に示すように、電池モジュール７０は、複数の電池アセンブリ５０Ａ〜５０Ｈを備える。本実施形態では、複数の電池アセンブリ５０Ａ〜５０Ｈのそれぞれは、第２の実施形態と同様の構成の電池アセンブリ５０が用いられる。このため、電池アセンブリ５０Ａ〜５０Ｈのそれぞれは、第１の実施形態と同様の構成の電池１と、第２の実施形態と同様の構成のケース５１と、を備える。なお、図２３は、電池モジュール７０を、一部の部品を分解した状態で、示す。
【０１０１】
本実施形態では、電池モジュール７０において、複数の電池アセンブリ５０Ａ〜５０Ｈは、積層される。電池モジュール７０では、電池アセンブリ５０Ａ〜５０Ｈの積層方向（矢印Ｚ３及び矢印Ｚ４で示す方向）が、電池アセンブリ５０Ａ〜５０Ｈが配列される配列方向となる。本実施形態では、電池アセンブリ５０Ａ〜５０Ｈ（電池１）のそれぞれの縦方向及び横方向が積層方向に対して垂直又は略垂直なる（交差する）状態で、電池アセンブリ５０Ａ〜５０Ｈが積層される。すなわち、電池アセンブリ５０Ａ〜５０Ｈ（電池１）のそれぞれの厚さ方向が積層方向と一致又は略一致する状態で、電池アセンブリ５０Ａ〜５０Ｈが積層される。
【０１０２】
ここで、電池モジュール７０において、積層方向に対して垂直又は略垂直な（交差する）第１の方向（矢印Ｙ３及び矢印Ｙ４で示す方向）、及び、積層向に及び第１の方向の両方対して垂直又は略垂直な（交差する）第２の方向（矢印Ｘ３及び矢印Ｘ４で示す方向）を規定する。電池アセンブリ５０Ａ〜５０Ｈ（電池１）のそれぞれは、横方向が第１の方向と一致又は略一致し、かつ、縦方向が第２の方向と一致又は略一致する状態で、配置される。また、電池アセンブリ５０Ａ〜５０Ｈの中で互いに対して隣り合って配置される（積層される）２つを、電池アセンブリ５０α，５０βとする。図２２及び図２３の一例では、電池アセンブリ（第１の電池アセンブリ）５０αは、電池アセンブリ５０Ａ〜５０Ｇのいずれか１つであり、電池アセンブリ（第２の電池アセンブリ）５０βは、電池アセンブリ５０Ｂ〜５０Ｈの中の対応する１つである。
【０１０３】
図２４は、互いに対して隣り合って積層される電池アセンブリ５０α，５０βの積層状態を示す。図２４は、第２の方向に対して垂直又は略垂直で、かつ、電池アセンブリ５０α，５０βのそれぞれのバネ部３５Ａ及び折れ曲がり部４１Ａを通る断面を示す。したがって、図２４では、電池アセンブリ５０α，５０βのそれぞれは、縦方向に垂直又は略垂直で、かつ、バネ部３５Ａ及び折れ曲がり部４１Ａを通る断面で示される。図２２乃至図２４に示すように、本実施形態では、電池アセンブリ（第２の電池アセンブリ）５０βのケース５１のケース底壁５２が、電池アセンブリ（第１の電池アセンブリ）５０αのケース開口６２を介して、電池アセンブリ５０αの電池１の底壁７と、対向する。
【０１０４】
電池モジュール７０では、電池アセンブリ５０α，５０βが、第１の方向及び第２の方向の両方について、すなわち、積層方向に対して垂直又は略垂直な（交差する）方向について、互いに対してずれることなく、又は、ほとんどずれることなく、配置される。また、ケース側壁５３Ａ，５３Ｂ，５５Ａ，５５Ｂの外表面で囲まれる領域、及び、収納空間６１は、電池アセンブリ５０α，５０βの間で、第１の方向及び第２の方向の両方について、ずれていない、又は、ほとんどずれていない。
【０１０５】
また、電池アセンブリ（第１の電池アセンブリ）５０αのバネ部３５Ａは、第１の方向（電池アセンブリ５０α，５０βの横方向）について、電池アセンブリ５０α，５０βの電極群１０に対して、電池アセンブリ（第２の電池アセンブリ）５０βのバネ部３５Ａが位置する側とは反対側に、位置する。したがって、電池アセンブリ５０αのバネ部３５Ａは、第１の方向について、電池アセンブリ５０α，５０βの電極群１０に対して、電池アセンブリ５０βの折れ曲がり部４１Ａが位置する側に、位置する。このため、電池アセンブリ５０βの電池１において、横方向についてバネ部３５Ａが突出する側とは反対側の端（基準端）Ｐ１を前述のように規定すると、電池アセンブリ５０βの電池１の端Ｐ１は、第１の方向について、電池アセンブリ５０α，５０βの電極群１０に対して、電池アセンブリ５０αのバネ部３５Ａが位置する側に位置する。
【０１０６】
電池モジュール７０では、電池アセンブリ５０βの孔（第２の連結部）５７Ｂは、第１の方向（電池アセンブリ５０α，５０βの横方向）について、電池アセンブリ５０α，５０βの電極群１０に対して、電池アセンブリ５０αのバネ部３５Ａ及び孔（第１の連結部）５７Ａが位置する側に、位置する。そして、電池アセンブリ（第１の電池アセンブリ）５０αの孔５７Ａのそれぞれは、電池アセンブリ（第２の電池アセンブリ）５０βの孔５７Ｂの対応する一方と、同軸又は略同軸になり、電池アセンブリ５０βの孔５７Ｂの対応する一方と連通する。また、電池アセンブリ５０βの孔（第１の連結部）５７Ａは、第１の方向について、電池アセンブリ５０α，５０βの電極群１０に対して、電池アセンブリ５０αのバネ部３５Ａ及び孔（第１の連結部）５７Ａが位置する側とは反対側に、位置する。すなわち、電池アセンブリ５０βの孔５７Ａは、第１の方向について、電極群１０に対して、電池アセンブリ５０αの孔（第２の連結部）５７Ｂが位置する側に、位置する。そして、電池アセンブリ（第１の電池アセンブリ）５０αの孔５７Ｂのそれぞれは、電池アセンブリ（第２の電池アセンブリ）５０βの孔５７Ａの対応する一方と、同軸又は略同軸になり、電池アセンブリ５０βの孔５７Ａの対応する一方と連通する。
【０１０７】
また、電池モジュール７０は、略長方形板状の蓋７１を備える。蓋７１は、電池アセンブリ５０Ａ〜５０Ｈと一緒に、積層される。蓋７１は、電池アセンブリ５０Ｈに対して、積層方向について電池アセンブリ５０Ａ〜５０Ｇが位置する側とは反対側に、積層される。したがって、電池アセンブリ５０Ａ〜５０Ｈの中では、電池アセンブリ５０Ｈが、蓋７１に対して最も近位に配置され、電池アセンブリ５０Ａが、蓋７１に対して最も遠位に配置される。蓋７１は、電池アセンブリ５０Ｈのケース開口６２を介して、電池アセンブリ５０Ｈの電池１の底壁７と、対向する。
【０１０８】
また、蓋７１は、面７３，７５を備える。面７３，７５のそれぞれは、略長方形状に形成される。面７３は、積層方向について、電池アセンブリ５０Ａ〜５０Ｈが位置する側とは反対側を向く。面７５は、積層方向について、電池アセンブリ５０Ａ〜５０Ｈが位置する側を向き、面７３が向く側とは反対側を向く。また、蓋７１には、（本実施形態では４つの）孔７６が形成される。孔７６のそれぞれは、面７３から面７５まで、蓋７１を貫通する。本実施形態では、孔７６のそれぞれは、略長方形状の蓋７１の面７３において、略長方形状の４つの角部の対応する１つに位置し、他の３つの孔（７６の対応する３つ）とは異なる角部に形成される。蓋７１の孔７６のそれぞれは、電池アセンブリ５０Ｈの孔５７Ａ，５７Ｂの対応する１つと、同軸又は略同軸になり、電池アセンブリ５０Ｈの孔５７Ａ，５７Ｂの対応する１つと連通する。
【０１０９】
また、電池モジュール７０には、ボルト７２及びナット７７が、（本実施形態では、それぞれ４つずつ）設けられる。ボルト７２のそれぞれは、蓋７１の孔７６の対応する１つに挿通される。また、ボルト７２のそれぞれは、電池アセンブリ５０Ａ〜５０Ｈのそれぞれにおいて、ケース５１の孔５７Ａ，５７Ｂの対応する１つに挿通される。ナット７７のそれぞれは、蓋７１に対して最も遠位に配置される電池アセンブリ５０Ａにおいて、孔５７Ａ，５７Ｂの対応する１つの非円形断面部（５８Ａ；５８Ｂ）で、ボルト７２の対応する１つと螺合する。ナット７７のそれぞれが電池アセンブリ５０Ａの孔５７Ａ，５７Ｂの対応する１つの非円形断面部（５８Ａ；５８Ｂ）に位置することにより、螺合するボルト（７２の対応する１つ）の中心軸の軸回りについてのナット７７のそれぞれの回転が、規制される。
【０１１０】
前述のようにして、本実施形態の電池モジュール７０では、ボルト７２及びナット７７によって、電池アセンブリ５０Ａ〜５０Ｈ及び蓋７１が連結される。したがって、電池アセンブリ５０Ａ〜５０Ｈのそれぞれでは、孔（第１の連結部）５７Ａ及び孔（第２の連結部）５７Ｂが、他の電池アセンブリ（５０Ａ〜５０Ｈの対応する７つ）及び蓋７１への連結位置となる。そして、蓋７１では、孔７６が、電池アセンブリ５０Ａ〜５０Ｈへの連結位置となる。また、前述のようにボルト７２及びナット７７によって電池アセンブリ５０Ａ〜５０Ｈ及び蓋７１が連結されるため、電池モジュール７０では、電池アセンブリ５０Ａ〜５０Ｈ及び蓋７１が、積層方向について締め付けられる（圧縮される）。
【０１１１】
前述のように電池アセンブリ５０Ａ〜５０Ｈ及び蓋７１が積層方向について締め付けられることにより、互いに対して隣り合って積層される電池アセンブリ５０α，５０βでは、電池アセンブリ（第２の電池アセンブリ）５０βのケース５１のケース底壁５２が、電池アセンブリ（第１の電池アセンブリ）５０αの電池１に干渉する。本実施形態では、電池アセンブリ５０βのケース底壁５２の突出部６５が、電池アセンブリ５０αの電池１の底壁７に当接する。これにより、電池アセンブリ５０βのケース底壁５２の突出部６５から電池アセンブリ５０αの電池１の底壁７に、押圧力が作用する。電池アセンブリ５０βのケース底壁５２から電池アセンブリ５０αの電池１に押圧力が作用することにより、電池アセンブリ５０αにおいて、収納空間６１での電池１の移動が、摩擦によって規制される。すなわち、電池アセンブリ５０αでは、積層方向に対して交差する方向（第１の方向及び第２の方向）への電池１の移動が、電池アセンブリ５０βのケース底壁５２と電池アセンブリ５０αの電池１との間の摩擦によって、規制される。以上のように、本実施形態では、電池アセンブリ５０βのケース底壁５２に形成される突出部６５が、電池アセンブリ５０αの電池１の移動を規制する規制部となる。
【０１１２】
また、互いに対して隣り合って積層される電池アセンブリ５０α，５０βは、接続部材であるバスバー３６によって、電気的に接続される。バスバー３６は、金属等の導電材料から形成される。図２５は、バスバー３６の構成を示す。図２６は、互いに対して隣り合って積層される電池アセンブリ５０α，５０βの、バスバー３６による電気的な接続状態を示す。図２６は、第２の方向に対して垂直又は略垂直で、かつ、電池アセンブリ５０α，５０βのそれぞれの端子２７Ａ，２７Ｂを通る断面を示す。したがって、図２４では、電池アセンブリ５０α，５０βのそれぞれは、縦方向に垂直又は略垂直で、かつ、端子２７Ａ，２７Ｂを通る断面で示される。
【０１１３】
図２３、図２４及び図２６等に示すように、本実施形態では、電池アセンブリ（第１の電池アセンブリ）５０αの端子（第１の端子）２７Ａは、第１の方向（電池アセンブリ５０α，５０βの横方向）について、電池アセンブリ５０α，５０βの電極群１０に対して、電池アセンブリ（第２の電池アセンブリ）５０βの端子（第１の端子）２７Ａ及びバネ部３５Ａが位置する側とは反対側に、位置する。したがって、電池アセンブリ５０βの電池１において、横方向についてバネ部３５Ａが突出する側とは反対側の端（基準端）Ｐ１を前述のように規定すると、電池アセンブリ５０βの電池１の端Ｐ１は、第１の方向について、電池アセンブリ５０α，５０βの電極群１０に対して、電池アセンブリ５０αの端子（第１の端子）２７Ａが位置する側に位置する。そして、電池アセンブリ５０βの端子（第２の端子）２７Ｂは、第１の方向について、電池アセンブリ５０α，５０βの電極群１０に対して、電池アセンブリ５０αの端子（第１の端子）２７Ａが位置する側に位置する。
【０１１４】
本実施形態では、バスバー３６は、電池アセンブリ（第１の電池アセンブリ）５０αの端子（第１の端子）２７Ａと電池アセンブリ（第２の電池アセンブリ）５０βの端子（第２の端子）２７Ｂとの間を、電気的に接続する。前述のように、端子２７Ａ，２７Ｂは、互いに対して反対の電気的極性を有する。このため、電池アセンブリ５０α，５０βの電池１同士は、バスバー３６によって、電気的に直列に接続される。そして、電池モジュール７０では、電池アセンブリ５０Ａ〜５０Ｈの電池１同士が、互いに対して電気的に直列に、接続される。なお、バスバー３６は、電池アセンブリ５０αのケース５１の凹部５６Ａを通過するとともに、電池アセンブリ５０βのケース５１の凹部５６Ｂを通過する。
【０１１５】
また、電池アセンブリ５０Ａ〜５０Ｈのそれぞれは、第２の実施形態の電池アセンブリ５０と同様の構成である。このため、電池アセンブリ５０α，５０βのそれぞれでは、横方向について、ケース側壁５３Ｂへの電池１の端（基準端）Ｐ１の当接位置Ｔ１から端子（第１の端子）２７Ａの端子側接触面３７Ａまでは、所定の第１の距離Ｌ１と同一又は略同一となる。そして、電池アセンブリ５０α，５０βのそれぞれでは、横方向について、ケース側壁５３Ｂへの電池１の端（基準端）Ｐ１の当接位置Ｔ１から端子（第２の端子）２７Ｂの端子側接触面３７Ｂまでは、所定の第２の距離Ｌ２と同一又は略同一となる。
【０１１６】
そして、本実施形態では、電池アセンブリ（第１の電池アセンブリ）５０αの端子（第１の端子）２７Ａは、第１の方向（電池アセンブリ５０α，５０βの横方向）について、電池アセンブリ（第２の電池アセンブリ）５０βの端子（第２の端子）２７Ｂに対して、ズレを有する。電池アセンブリ５０βの端子２７Ｂに対する電池アセンブリ５０αの端子２７Ａのズレは、所定の大きさγと同一又は略同一になる。所定の大きさγは、前述した図２１の変形例（第２の実施形態の第２の変形例）と同様にして算出可能であり、前述の第１の距離Ｌ１及び第２の距離Ｌ２に少なくとも基づく値である。したがって、所定の大きさγは、前述の基準寸法Ｌ０、第１の距離Ｌ１及び第２の距離Ｌ２に対して、γ＝Ｌ０−（Ｌ１＋Ｌ２）の関係が成立する。
【０１１７】
図２５及び図２６等に示すように、バスバー３６は、コネクタ部８１Ａ，８１Ｂと、コネクタ部８１Ａ，８１Ｂの間を中継する中継部８３と、を備える。コネクタ部（第１のコネクタ部）８１Ａは、電池アセンブリ（第１の電池アセンブリ）５０αの端子（第１の端子）２７Ａに、接続される。そして、コネクタ部８１Ａは、電池アセンブリ５０αの端子２７Ａの端子側接触面３７Ａに接触する接触面（第１の接触面）８２Ａを備える。また、コネクタ部（第２のコネクタ部）８１Ｂは、電池アセンブリ（第２の電池アセンブリ）５０βの端子（第２の端子）２７Ｂに、接続される。そして、コネクタ部８１Ｂは、電池アセンブリ５０βの端子２７Ｂの端子側接触面３７Ｂに接触する接触面（第２の接触面）８２Ｂを備える。
【０１１８】
バスバー３６では、接触面８２Ａ，８２Ｂは、互いに対して、平行又は略平行になる。また、接触面８２Ａ，８２Ｂは、接触面８２Ａ，８２Ｂに垂直又は略垂直な方向について、互いに対して離れて配置される。接触面８２Ａ，８２Ｂの間の離間距離は、電池アセンブリ（第２の電池アセンブリ）５０βの端子（第２の端子）２７Ｂに対する電池アセンブリ（第１の電池アセンブリ）５０αの端子（第１の端子）２７Ａのズレと、同一又は略同一になる。したがって、バスバー３６のそれぞれでは、接触面８２Ａ，８２Ｂの間の離間距離は、前述の所定の大きさγと同一又は略同一になる。
【０１１９】
前述のように、本実施形態では、バスバー３６の接触面８２Ａ，８２Ｂの間の離間距離が、電池アセンブリ５０βの端子２７Ｂに対する電池アセンブリ５０αの端子２７Ａのズレと、同一又は略同一になる。このため、電池アセンブリ（第１の電池アセンブリ）５０αの端子（第１の端子）２７Ａへのバスバー３６の溶接において、バスバー３６の接触面（第１の接触面）８２Ａが、端子２７Ａの端子側接触面３７Ａに、隙間なく、又は、ほとんど隙間なく、面接触する。同様に、電池アセンブリ（第２の電池アセンブリ）５０βの端子（第２の端子）２７Ｂへのバスバー３６の溶接において、バスバー３６の接触面（第２の接触面）８２Ｂが、端子２７Ｂの端子側接触面３７Ｂに、隙間なく、又は、ほとんど隙間なく、面接触する。これにより、バスバー３６の接触面８２Ａが電池アセンブリ５０αの端子２７Ａに適切に溶接され、バスバー３６の接触面８２Ｂが電池アセンブリ５０βの端子２７Ｂに適切に溶接される。したがって、本実施形態では、電池アセンブリ（第１の電池アセンブリ）５０αの端子（第１の端子）２７Ａ及び電池アセンブリ（第２の電池アセンブリ）５０βの端子（第２の端子）２７Ｂへのバスバー３６の溶接において、作業性が向上する。
【０１２０】
（第３の実施形態の変形例）  
なお、図２７に示す第３の実施形態の第１の変形例では、図２０の一例（第２の実施形態の第１の変形例）と同様の構成の電池アセンブリ５０が、電池アセンブリ５０Ａ〜５０Ｈとして、電池モジュール７０に用いられる。すなわち、ケース５１のケース底壁５２に、突出部６５の代わりに突起６６が設けられる電池アセンブリ５０が、電池アセンブリ５０Ａ〜５０Ｈとして、電池モジュール７０に用いられる。本変形例でも、電池アセンブリ５０Ａ〜５０Ｈ及び蓋７１が積層方向について締め付けられることにより、互いに対して隣り合って積層される電池アセンブリ５０α，５０βでは、電池アセンブリ（第２の電池アセンブリ）５０βのケース５１のケース底壁５２が、電池アセンブリ（第１の電池アセンブリ）５０αの電池１に干渉する。
【０１２１】
本変形例では、電池アセンブリ５０βのケース底壁５２の突起６６が、電池アセンブリ５０αの電池１の底壁７に当接し、電池アセンブリ５０αの電池１の底壁７を押圧する。これにより、電池アセンブリ５０αの電池１の底壁７では、電池アセンブリ５０βのケース底壁５２の突起６６から押圧される部位のそれぞれが、内側（内部空間１１が位置する側）へ凹む。そして、電池アセンブリ５０βの突起６６のそれぞれが、電池アセンブリ５０αの電池１の底壁７に形成される凹みの対応する１つに、食い込む。突起６６のそれぞれが凹みの対応する１つに食い込むことにより、電池アセンブリ５０αにおいて、収納空間６１での電池１の移動が、規制される。すなわち、電池アセンブリ５０αでは、積層方向に対して交差する方向（第１の方向及び第２の方向）への電池１の移動が、電池アセンブリ５０αの電池１の外装部３への電池アセンブリ５０βのケース底壁５２の突起６６の食い込みによって、規制される。以上のように、本変形例では、電池アセンブリ５０βのケース底壁５２に形成される突起６６が、電池アセンブリ５０αの電池１の移動を規制する規制部となる。
【０１２２】
なお、前述のように、突起６６のそれぞれは、略長方形状のケース底壁５２の外表面において、略長方形状の４つの角部の対応する１つに位置する。このため、電池アセンブリ５０βのケース底壁５２の突起６６からの押圧によって、電池アセンブリ５０αの電池１の底壁７（外装部３）が内側へ凹んでも、電池アセンブリ５０αの電池１の内部空間１１において、第１の外装部材５（外装部３）と電極群１０との接触が、有効に防止される。したがって、電池アセンブリ５０βの突起６６によって電池アセンブリ５０αの電池１の底壁７（外装部３）が内側へ凹んでも、電池アセンブリ５０αにおいて、第１の外装部材５（外装部３）と電極群１０との間の電気的な絶縁が、適切に確保される。
【０１２３】
また、ある変形例では、ケース５１のケース底壁５２に、突出部６５及び突起６６の両方が設けられる電池アセンブリ５０が、電池アセンブリ５０Ａ〜５０Ｈとして、電池モジュール７０に用いられてもよい。この場合、互いに対して隣り合って積層される電池アセンブリ５０α，５０βでは、電池アセンブリ５０βのケース底壁５２の突出部６５によって、第２の実施形態と同様にして、電池アセンブリ５０αの電池１の移動が規制される。そして、電池アセンブリ５０βのケース底壁５２の突起６６によって、図２７の一例（第３の実施形態の第１の変形例）と同様にして、電池アセンブリ５０αの電池１の移動が規制される。したがって、本変形例では、電池アセンブリ５０βのケース底壁５２に形成される突出部６５及び突起６６の両方が、電池アセンブリ５０αの電池１の移動を規制する規制部となる。
【０１２４】
また、電池アセンブリ５０βのケース底壁５２が電池アセンブリ５０αの電池１に当接することにより、電池アセンブリ５０αの電池１の移動が規制される構成であれば、前述の突出部６５及び突起６６が設けられなくてもよい。すなわち、電池アセンブリ５０αの電池１の移動を規制する規制部が、電池アセンブリ５０βのケース底壁５２に設けられていればよい。
【０１２５】
また、図２８に示す第３の実施形態の第２の変形例では、蓋７１において電池アセンブリ５０Ａ〜５０Ｈが位置する側を向く面７５に、突出部６５と同様の突出部７９、及び、突起６６と同様の（本変形例では４つの）突起７８が、形成される。面７５では、突出部６５が、積層方向について電池アセンブリ５０Ａ〜５０Ｈが位置する側へ突出し、突起７８のそれぞれは、積層方向について電池アセンブリ５０Ａ〜５０Ｈが位置する側へ、突出部７９の突出端面からさらに突出する。本変形例では、蓋７１の突出部７９は、突出部６５と同様にして、蓋７１に対して最も近位に配置される電池アセンブリ５０Ｈにおいて、電池１の移動を規制する。そして、蓋７１の突起７８は、突起６６と同様にして、蓋７１に対して最も近位に配置される電池アセンブリ５０Ｈにおいて、電池１の移動を規制する。
【０１２６】
なお、ある変形例では、蓋７１の面７５に、突出部７９及び突起７８の一方のみが、形成されてもよい。また、蓋７１が電池アセンブリ５０Ｈの電池１に当接することにより、電池アセンブリ５０Ｈの電池１の移動が規制される構成が、前述の突出部７９及び突起７８以外によって形成されてもよい。
【０１２７】
また、図２９に示す第３の実施形態の第３の変形例では、図２１の一例（第２の実施形態の第２の変形例）と同様の構成の電池アセンブリ５０が、電池アセンブリ５０Ａ〜５０Ｈとして、電池モジュール７０に用いられる。すなわち、本変形例では、電池アセンブリ５０Ａ〜５０Ｈのそれぞれにおいて、横方向について孔（第１の連結部）５７Ａのそれぞれからケース側壁５３Ａの内表面までが、所定の第３の距離α１と同一又は略同一になる。そして、電池アセンブリ５０Ａ〜５０Ｈのそれぞれでは、横方向について孔（第２の連結部）５７Ｂのそれぞれからケース側壁５３Ｂの内表面までが、所定の第４の距離α２と同一又は略同一になる。なお、第４の距離α２に対する第３の距離α１の差は、前述の所定の大きさγと同一又は略同一になる。
【０１２８】
本変形例でも、互いに対して隣り合って積層される電池アセンブリ５０α，５０βは、第３の実施形態と同様にして、配置される。このため、電池アセンブリ（第１の電池アセンブリ）５０αのバネ部３５Ａ及び端子（第１の端子）２７Ａは、第１の方向（電池アセンブリ５０α，５０βの横方向）について、電池アセンブリ５０α，５０βの電極群１０に対して、電池アセンブリ（第２の電池アセンブリ）５０βのバネ部３５Ａ及び端子（第１の端子）２７Ａが位置する側とは反対側に、位置する。したがって、電池アセンブリ５０βの電池１の端（基準端）Ｐ１及び端子（第２の端子）２７Ｂは、第１の方向について、電池アセンブリ５０α，５０βの電極群１０に対して、電池アセンブリ５０αのバネ部３５Ａ及び端子（第１の端子）２７Ａが位置する側に位置する。
【０１２９】
本変形例では、電池アセンブリ５０αにおいて、横方向について孔（第１の連結部）５７Ａのそれぞれからケース側壁５３Ａの内表面までが、所定の第３の距離α１と同一又は略同一になる。そして、電池アセンブリ５０βでは、横方向について孔（第２の連結部）５７Ｂのそれぞれからケース側壁５３Ｂの内表面までが、所定の第４の距離α２と同一又は略同一になる。このため、本変形例では、電池アセンブリ（第１の電池アセンブリ）５０αのケース側壁５３Ａの内表面は、第１の方向（電池アセンブリ５０α，５０βの横方向）について、電池アセンブリ（第２の電池アセンブリ）５０βのケース側壁５３Ｂの内表面に対して、ズレを有する。そして、電池アセンブリ５０βのケース側壁５３Ｂの内表面に対する電池アセンブリ５０αのケース側壁５３Ａの内表面のズレは、前述の所定の大きさγと同一又は略同一になる。したがって、本変形例では、第３の実施形態等とは異なり、電池アセンブリ（第１の電池アセンブリ）５０αの端子（第１の端子）２７Ａは、第１の方向（電池アセンブリ５０α，５０βの横方向）について、電池アセンブリ（第２の電池アセンブリ）５０βの端子（第２の端子）２７Ｂに対して、ずれていない、又は、ほとんどずれていない。
【０１３０】
また、本変形例のバスバー３６では、接触面８２Ａ，８２Ｂに垂直又は略垂直な方向について、接触面８２Ａ，８２Ｂは、互いに対して離間しない、又は、ほとんど離間しない。すなわち、バスバー３６では、接触面８２Ａ，８２Ｂに垂直又は略垂直な方向について、接触面８２Ａ，８２Ｂは、互いに対してずれない、又は、ほとんどずれない。接触面８２Ａ，８２Ｂが、互いに対して離間しない、又は、ほとんど離間しないため、バスバー３６の形成における手間等が、低減される。
【０１３１】
前述のように、本変形例では、電池アセンブリ５０αの端子（第１の端子）２７Ａが電池アセンブリ５０βの端子（第２の端子）２７Ｂに対して、第１の方向について、ずれない、又は、ほとんどずれない。このため、接触面８２Ａ，８２Ｂが、互いに対して離間しない、又は、ほとんど離間しないバスバー３６を用いても、電池アセンブリ（第１の電池アセンブリ）５０αの端子（第１の端子）２７Ａへのバスバー３６の溶接において、バスバー３６の接触面（第１の接触面）８２Ａが、端子２７Ａの端子側接触面３７Ａに、隙間なく、又は、ほとんど隙間なく、面接触する。そして、電池アセンブリ（第２の電池アセンブリ）５０βの端子（第２の端子）２７Ｂへのバスバー３６の溶接において、バスバー３６の接触面（第２の接触面）８２Ｂが、端子２７Ｂの端子側接触面３７Ｂに、隙間なく、又は、ほとんど隙間なく、面接触する。これにより、第３の実施形態等と同様に、バスバー３６の接触面８２Ａが電池アセンブリ５０αの端子２７Ａに適切に溶接され、バスバー３６の接触面８２Ｂが電池アセンブリ５０βの端子２７Ｂに適切に溶接される。
【０１３２】
また、前述の実施形態等では、電池モジュール７０に８つの電池アセンブリ５０Ａ〜５０Ｈが設けられるが、電池モジュール７０に設けられる電池アセンブリ５０の数は、複数であればよい。
【０１３３】
また、前述の実施形態等では、電池モジュール７０において、複数の電池アセンブリ（５０）の電池１同士が電気的に直列に接続されるが、これに限るものではない。ある変形例では、電池モジュール７０において、複数の電池アセンブリ（５０）の電池１同士が電気的に並列に接続されてもよい。また、複数の電池アセンブリ（５０）の電池１同士が電気的に直列に接続される直列接続、及び、複数の電池アセンブリ（５０）の電池１同士が電気的に並列に接続される並列接続の両方が、電池モジュール７０に形成されてもよい。
【０１３４】
ある変形例では、互いに対して隣り合って積層される電池アセンブリ５０α，５０βの電池１同士が、電気的に並列に接続される。この場合、電池アセンブリ（第１の電池アセンブリ）５０αの端子（第１の端子）２７Ａは、第１の方向（電池アセンブリ５０α，５０βの横方向）について、電池アセンブリ５０α，５０βの電極群１０に対して、電池アセンブリ（第２の電池アセンブリ）５０βの端子（第１の端子）２７Ａが位置する側に、位置する。そして、電池アセンブリ５０αの端子（第２の端子）２７Ｂは、第１の方向について、電池アセンブリ５０α，５０βの電極群１０に対して、電池アセンブリ５０βの端子（第２の端子）２７Ｂが位置する側に位置する。そして、電池アセンブリ５０α，５０βの端子（第１の端子）２７Ａ同士が、バスバー３６等によって、電気的に接続され、電池アセンブリ５０α，５０βの端子（第２の端子）２７Ｂ同士が、バスバー３６等によって、電気的に接続される。
【０１３５】
また、ある変形例の電池モジュール７０では、複数の電池アセンブリ５０の中の１つ以上において、図１３の一例と同様の構成の電池１が用いられてもよい。この場合、複数の電池アセンブリ５０の中の１つ以上において、端子２７Ａ，２７Ｂは、横方向について互いに対して同一の側に、側壁（８Ａ，８Ｂ，９Ａ，９Ｂ）の外表面において突出する。
【０１３６】
前述の実施形態等の電池モジュール（７０）では、電池アセンブリ（５０）が複数設けられ、複数の電池アセンブリ（５０）のそれぞれは、第２の実施形態及びその変形例の電池アセンブリのいずれかと同様の構成になる。
【０１３７】
前述の少なくとも一つの実施形態又は実施例の電池によれば、バネ部は、フランジ及び第２の外装部材の開口縁からの突出部分において、フランジ及び第２の外装部材の少なくとも一方から形成される。バネ部は、横方向について、第１の端子が突出する側、又は、第１の端子が突出する側とは反対側に、側壁に対して突出する。外側からの外力の作用によってバネ部が弾性変形することにより、横方向についてバネ部が側壁に対して突出する側とは反対側への力成分を有する反発力が、バネ部の弾性力の反作用として、第１の外装部材及び第２の外装部材に作用する。これにより、ケースに収納された電池アセンブリにおいて、収納空間でケースに対して精度良く配置される電池を提供することができる。
【０１３８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１３９】
１…電池、３…外装部、５…第１の外装部材、６…第２の外装部材、７…底壁、８Ａ，８Ｂ，９Ａ，９Ｂ…側壁、１０…電極群、１１…内部空間、１２…開口、１３…フランジ、１５…開口縁、２１…正極、２２…負極、２７Ａ，２７Ｂ…端子、３０…溶接部、３５Ａ，３５Ｂ…バネ部、３６…バスバー、４１Ａ，４１Ｂ…折れ曲がり部、４２Ａ，４２Ｂ…端面、５０，５０Ａ〜５０Ｈ…電池アセンブリ、５１…ケース、５２…ケース底壁、５３Ａ，５３Ｂ，５５Ａ，５５Ｂ…ケース側壁、５７Ａ，５７Ｂ…孔（連結部）、６１…収納空間、６２…ケース開口、６５…突出部、６６…突起、７０…電池モジュール、８２Ａ，８２Ｂ…接触面。
【図１】
2020107409.tif 000003
【図２】
2020107409.tif 000004
【図３】
2020107409.tif 000005
【図４】
2020107409.tif 000006
【図５】
2020107409.tif 000007
【図６】
2020107409.tif 000008
【図７】
2020107409.tif 000009
【図８】
2020107409.tif 000010
【図９】
2020107409.tif 000011
【図１０】
2020107409.tif 000012
【図１１】
2020107409.tif 000013
【図１２】
2020107409.tif 000014
【図１３】
2020107409.tif 000015
【図１４】
2020107409.tif 000016
【図１５】
2020107409.tif 000017
【図１６】
2020107409.tif 000018
【図１７】
2020107409.tif 000019
【図１８】
2020107409.tif 000020
【図１９】
2020107409.tif 000021
【図２０】
2020107409.tif 000022
【図２１】
2020107409.tif 000023
【図２２】
2020107409.tif 000024
【図２３】
2020107409.tif 000025
【図２４】
2020107409.tif 000026
【図２５】
2020107409.tif 000027
【図２６】
2020107409.tif 000028
【図２７】
2020107409.tif 000029
【図２８】
2020107409.tif 000030
【図２９】
2020107409.tif 000031